(57)【要約】【課題】標高に起因してユーザーの身体にかかる負荷の情報を高精度に取得することのできる生体モニタリングシステム、携帯型電子機器、生体モニタリングプログラム、コンピューター読み取り可能な記録媒体、生体モニタリング方法及び表示装置を提供する。【解決手段】本適用例に係る生体モニタリングシステムは、ユーザーの位置する地点の標高変化に係る情報と、前記ユーザーの血中酸素量の変化に係る情報と、に基づいて、前記ユーザーの身体にかかる負荷に係る情報を出力する出力部を含む。【選択図】図１５
2018079077.tif 000002
【特許請求の範囲】
【請求項１】
ユーザーの位置する地点の標高変化に係る情報と、
前記ユーザーの血中酸素量の変化に係る情報と、
に基づいて、前記ユーザーの身体にかかる負荷に係る情報を出力する出力部を含む、
生体モニタリングシステム。
【請求項２】
請求項１において、
前記標高変化に係る情報及び前記血中酸素量の変化に係る情報の組み合わせと、
前記負荷に係る情報と、
の対応関係に係る情報を記憶する記憶部を含む、
生体モニタリングシステム。
【請求項３】
請求項２において、
前記記憶部は、
前記ユーザーの身体能力のレベル毎に前記対応関係に係る情報を記憶する、
生体モニタリングシステム。
【請求項４】
請求項２又は３において、
前記記憶部は、
前記ユーザーの性別毎に前記対応関係に係る情報を記憶する、
生体モニタリングシステム。
【請求項５】
請求項２乃至４の何れか一項において、
前記記憶部は、
前記ユーザーの年齢に応じて前記対応関係に係る情報を記憶する、
生体モニタリングシステム。
【請求項６】
請求項２乃至５の何れか一項において、
前記対応関係に係る情報は、
平常時における前記標高変化に係る情報と前記血中酸素量の変化に係る情報との関係に応じて設定される、
生体モニタリングシステム。
【請求項７】
請求項１乃至６の何れか一項において、
前記出力部は、
前記血中酸素量の推移と共に前記負荷の推移を出力する、
生体モニタリングシステム。
【請求項８】
請求項７において、
前記出力部は、
前記血中酸素量の推移をグラフとして表示する、
生体モニタリングシステム。
【請求項９】
請求項８において、
前記出力部は、
前記負荷の推移を前記グラフの色及び模様の少なくとも何れかで表す、
生体モニタリングシステム。
【請求項１０】
請求項９において、
前記出力部は、
前記標高の推移のグラフ及び気圧の推移のグラフのうち少なくとも何れかを前記血中酸素量の推移の前記グラフと共に表示する、
生体モニタリングシステム。
【請求項１１】
請求項１において、
前記負荷に係る情報は、
前記ユーザーへのアドバイスを含む、
生体モニタリングシステム。
【請求項１２】
請求項１１において、
前記アドバイスは、
休憩の必要性に係るアドバイス及び医師の診断の必要性に係るアドバイスのうち少なくとも何れかを含む
生体モニタリングシステム。
【請求項１３】
請求項１１又は１２において、
前記負荷に係る情報は、
休憩が可能な地点に係る情報及び医師の診断が可能な地点に係る情報のうち少なくとも何れかを含む、
生体モニタリングシステム。
【請求項１４】
請求項１１乃至１３の何れか一項において、
前記負荷に係る情報は、
前記ユーザーが聴覚、視覚、及び触覚のうち少なくとも何れかにより認識可能な情報である、
生体モニタリングシステム。
【請求項１５】
請求項１４において、
前記負荷に係る情報は、
前記ユーザーが前記視覚により認識可能な色、文字、記号、目盛り、及び模様のうち少なくとも何れかを用いて表される、
生体モニタリングシステム。
【請求項１６】
請求項１１乃至１５の何れか一項において、
前記ユーザーが携帯可能な携帯型電子機器と、
前記ユーザーとは別のユーザーが携帯可能な携帯型電子機器とを含み、
前記負荷に係る情報の出力先の少なくとも１つは、
前記別のユーザーの前記携帯型電子機器である、
生体モニタリングシステム。
【請求項１７】
ユーザーの位置する地点の標高変化に係る情報と、前記ユーザーの血中酸素量の変化に係る情報と、に基づいて、前記ユーザーの身体にかかる負荷に係る情報を出力する出力部を含む、
携帯型電子機器。
【請求項１８】
ユーザーの位置する地点の標高変化に係る情報と、前記ユーザーの血中酸素量の変化に係る情報と、に基づいて、前記ユーザーの身体にかかる負荷に係る情報を出力するステップをコンピューターに実行させる、
生体モニタリングプログラム。
【請求項１９】
ユーザーの位置する地点の標高変化に係る情報と、前記ユーザーの血中酸素量の変化に係る情報と、に基づいて、前記ユーザーの身体にかかる負荷に係る情報を出力するステップをコンピューターに実行させるプログラムを記録した、
コンピューター読み取り可能な記録媒体。
【請求項２０】
ユーザーの位置する地点の標高変化に係る情報と、前記ユーザーの血中酸素量の変化に係る情報と、に基づいて、前記ユーザーの身体にかかる負荷に係る情報を出力するステップを含む、
生体モニタリング方法。
【請求項２１】
ユーザーの位置する地点の標高変化に係る情報と、前記ユーザーの血中酸素量の変化に係る情報と、に基づいて、前記ユーザーの身体にかかる負荷に係る情報を出力する、
携帯型電子機器。
【請求項２２】
ユーザーの位置する地点の標高変化に係る情報と、
前記ユーザーの血中酸素量の変化に係る情報と、
に基づいて、前記ユーザーの身体にかかる負荷を、前記血中酸素量と共に表示する、
表示装置。
【請求項２３】
請求項２２において、
前記血中酸素量の推移と共に前記負荷の推移を表示する、
表示装置。
【請求項２４】
請求項２３において、
前記血中酸素量の推移をグラフとして表示する、
表示装置。
【請求項２５】
請求項２４において、
前記負荷の推移を前記グラフの色及び模様の少なくとも何れかで表す、
表示装置。
【請求項２６】
請求項２５において、
前記標高の推移のグラフ及び気圧の推移のグラフのうち少なくとも何れかを前記血中酸素量の推移の前記グラフと共に表示する、
表示装置。
【発明の詳細な説明】
【技術分野】
【０００１】
本発明は、生体モニタリングシステム、携帯型電子機器、生体モニタリングプログラム、コンピューター読み取り可能な記録媒体、生体モニタリング方法、及び表示装置に関する。
【背景技術】
【０００２】
高所では大気中の酸素濃度が薄い（酸素分圧が低い）ため、登山等の高所における活動において、経験不足や、自らの過信により高山病症状を発症する場合がある。高山病症状による行動不能や遭難などが増えていることから、高所での活動を安全に行うための手法に対する要求は大きい。例えば、特許文献１には、高度情報に基づいて登山中のユーザーの危険度（高山病）を判定する装置が開示されている。
【先行技術文献】
【特許文献】
【０００３】
【特許文献１】特開２０１３−３４７６７号公報
【発明の概要】
【発明が解決しようとする課題】
【０００４】
しかしながら、ユーザーの位置する地点の高度（標高）のみからユーザーの身体にかかる負荷を判定するだけでは必ずしも精度的に十分であるとは言えないという課題があった。
【０００５】
本発明は、以上のような問題点に鑑みてなされたものであり、本発明のいくつかの態様は、標高に起因してユーザーの身体にかかる負荷の情報を高精度に取得することのできる生体モニタリングシステム、携帯型電子機器、生体モニタリングプログラム、コンピューター読み取り可能な記録媒体、生体モニタリング方法及び表示装置を提供する。
【課題を解決するための手段】
【０００６】
本発明は前述の課題の少なくとも一部を解決するためになされたものであり、以下の態様又は適用例として実現することが可能である。
【０００７】
［適用例１］
本適用例に係る生体モニタリングシステムは、ユーザーの位置する地点の標高変化に係る情報と、前記ユーザーの血中酸素量の変化に係る情報と、に基づいて、前記ユーザーの身体にかかる負荷に係る情報を出力する出力部を含む。
【０００８】
当該情報は、ユーザーの標高変化と血中酸素量の変化との双方に基づくので、ユーザーの身体にかかる負荷、例えば、このまま運動を続けた場合のユーザーの身体の負荷を、正確に反映すると考えられる。よって、ユーザーは、自分が行っている運動の内容を見直すべきか否かを判断する際の目安として当該情報を用いることが可能である。
【０００９】
［適用例２］
本適用例に係る生体モニタリングシステムは、前記標高変化に係る情報及び前記血中酸素量の変化に係る情報の組み合わせと、前記負荷に係る情報と、の対応関係に係る情報を記憶する記憶部を含んでもよい。
【００１０】
従って、本適用例によれば、標高変化に係る情報及び血中酸素量の変化に係る情報からユーザーの身体の負荷に係る情報を取得する際における演算量を、低減することが可能である。
【００１１】
［適用例３］
本適用例に係る生体モニタリングシステムにおいて、前記記憶部は、前記ユーザーの身体能力のレベル毎に前記対応関係に係る情報を記憶してもよい。
【００１２】
従って、本適用例によれば、身体能力のレベルの異なる様々なユーザーの各々にとって適切な情報を取得することができる。
【００１３】
［適用例４］
本適用例に係る生体モニタリングシステムにおいて、前記記憶部は、前記ユーザーの性別毎に前記対応関係に係る情報を記憶してもよい。
【００１４】
従って、本適用例によれば、性別の異なる様々なユーザーの各々にとって適切な情報を取得することができる。
【００１５】
［適用例５］
本適用例に係る生体モニタリングシステムにおいて、前記記憶部は、前記ユーザーの年齢に応じて前記対応関係に係る情報を記憶してもよい。
【００１６】
従って、本適用例によれば、年齢に応じて様々なユーザーの各々にとって適切な情報を取得することができる。
【００１７】
［適用例６］
本適用例に係る生体モニタリングシステムにおいて、前記対応関係に係る情報は、平常時における前記標高変化に係る情報と前記血中酸素量の変化に係る情報との関係に応じて設定されてもよい。
【００１８】
従って、本適用例によれば、個々のユーザー間のばらつきに対応することができる。
【００１９】
［適用例７］
本適用例に係る生体モニタリングシステムにおいて、前記出力部は、前記血中酸素量の推移と共に前記負荷の推移を出力してもよい。
【００２０】
従って、ユーザーは、負荷の推移と共に血中酸素量の推移を確認することができる。
【００２１】
［適用例８］
本適用例に係る生体モニタリングシステムにおいて、前記出力部は、前記血中酸素量の推移をグラフとして表示してもよい。
【００２２】
従って、ユーザーは、負荷の推移と共に血中酸素量の推移を視覚によって確認することができる。
【００２３】
［適用例９］
本適用例に係る生体モニタリングシステムにおいて、前記出力部は、前記負荷の推移を前記グラフの色及び模様の少なくとも何れかで表してもよい。
【００２４】
従って、ユーザーは、色及び模様の少なくとも何れかによって負荷の推移を直感的に把
握することができる。
【００２５】
［適用例１０］
本適用例に係る生体モニタリングシステムにおいて、前記出力部は、前記標高の推移のグラフ及び気圧の推移のグラフのうち少なくとも何れかを前記血中酸素量の推移の前記グラフと共に表示してもよい。
【００２６】
従って、ユーザーは、標高の推移のグラフ及び気圧の推移のグラフのうち少なくとも何れかを血中酸素量の推移のグラフと共に確認することができる。
【００２７】
［適用例１１］
本適用例に係る生体モニタリングシステムにおいて、前記負荷に係る情報は、前記ユーザーへのアドバイスを含んでもよい。
【００２８】
従って、ユーザーは、自分の負荷に係る情報を自分へのアドバイスとして確認することができる。
【００２９】
［適用例１２］
本適用例に係る生体モニタリングシステムにおいて、前記アドバイスは、休憩の必要性に係るアドバイス及び医師の診断の必要性に係るアドバイスのうち少なくとも何れかを含んでもよい。
【００３０】
従って、ユーザーの身体の負荷に応じた正しいタイミングで医師の診断をユーザーに勧めることができる。
【００３１】
［適用例１３］
本適用例に係る生体モニタリングシステムにおいて、前記負荷に係る情報は、休憩が可能な地点に係る情報及び医師の診断が可能な地点に係る情報のうち少なくとも何れかを含んでもよい。
【００３２】
従って、ユーザーの身体の負荷に応じた正しいタイミングでユーザーに休憩が可能な地点及び医師の診断を受けられる地点のうち少なくとも何れかを通知することができる。
【００３３】
［適用例１４］
本適用例に係る生体モニタリングシステムにおいて、前記負荷に係る情報は、前記ユーザーが聴覚、視覚、及び触覚のうち少なくとも何れかにより認識可能な情報であってもよい。
【００３４】
従って、ユーザーの聴覚、視覚、及び触覚のうち少なくとも何れかを介して前記情報をユーザーに認識させることができる。
【００３５】
［適用例１５］
本適用例に係る生体モニタリングシステムにおいて、前記負荷に係る情報は、前記ユーザーが前記視覚により認識可能な色、文字、記号、目盛り、及び模様のうち少なくとも何れかを用いて表されてもよい。
【００３６】
従って、色、文字、記号、目盛り、及び模様のうち少なくとも何れかを用いて前記情報をユーザーに認識させることができる。
【００３７】
［適用例１６］
本適用例に係る生体モニタリングシステムにおいて、前記ユーザーが携帯可能な携帯型電子機器と、前記ユーザーとは別のユーザーが携帯可能な携帯型電子機器とを含み、前記負荷に係る情報の出力先の少なくとも１つは、前記別のユーザーの前記携帯型電子機器であってもよい。
【００３８】
従って、当該ユーザーの負荷を別のユーザーが把握することができるので、例えば、当該ユーザーが高負荷により意識を失っている場合に別のユーザーがそれに気づいて迅速な対応をすることが可能である。
【００３９】
［適用例１７］
本適用例に係る携帯型電子機器は、ユーザーの位置する地点の標高変化に係る情報と、前記ユーザーの血中酸素量の変化に係る情報と、に基づいて、前記ユーザーの身体にかかる負荷に係る情報を出力する出力部を含む。
【００４０】
当該情報は、ユーザーの標高変化と血中酸素量の変化との双方に基づくので、ユーザーの身体にかかる負荷、例えば、このまま運動を続けた場合のユーザーの身体の負荷を、正確に反映すると考えられる。よって、ユーザーは、自分が行っている運動の内容を見直すべきか否かを判断する際の目安として当該情報を用いることが可能である。
【００４１】
［適用例１８］
本適用例に係る生体モニタリングプログラムは、ユーザーの位置する地点の標高変化に係る情報と、前記ユーザーの血中酸素量の変化に係る情報と、に基づいて、前記ユーザーの身体にかかる負荷に係る情報を出力するステップをコンピューターに実行させる。
【００４２】
当該情報は、ユーザーの標高変化と血中酸素量の変化との双方に基づくので、ユーザーの身体にかかる負荷、例えば、このまま運動を続けた場合のユーザーの身体の負荷を、正確に反映すると考えられる。よって、ユーザーは、自分が行っている運動の内容を見直すべきか否かを判断する際の目安として当該情報を用いることが可能である。
【００４３】
［適用例１９］
本適用例に係るコンピューター読み取り可能な記録媒体は、ユーザーの位置する地点の標高変化に係る情報と、前記ユーザーの血中酸素量の変化に係る情報と、に基づいて、前記ユーザーの身体にかかる負荷に係る情報を出力するステップをコンピューターに実行させるプログラムを記録する。
【００４４】
当該情報は、ユーザーの標高変化と血中酸素量の変化との双方に基づくので、ユーザーの身体にかかる負荷、例えば、このまま運動を続けた場合のユーザーの身体の負荷を、正確に反映すると考えられる。よって、ユーザーは、自分が行っている運動の内容を見直すべきか否かを判断する際の目安として当該情報を用いることが可能である。
【００４５】
［適用例２０］
本適用例に係る生体モニタリング方法は、ユーザーの位置する地点の標高変化に係る情報と、前記ユーザーの血中酸素量の変化に係る情報とに基づいて、前記ユーザーの身体にかかる負荷に係る情報を出力するステップを含む。
【００４６】
当該情報は、ユーザーの標高変化と血中酸素量の変化との双方に基づくので、ユーザーの身体にかかる負荷、例えば、このまま運動を続けた場合のユーザーの身体の負荷を、正確に反映すると考えられる。よって、ユーザーは、自分が行っている運動の内容を見直すべきか否かを判断する際の目安として当該情報を用いることが可能である。
【００４７】
［適用例２１］
本適用例に係る携帯型電子機器は、ユーザーの位置する地点の標高変化に係る情報と、前記ユーザーの血中酸素量の変化に係る情報と、に基づいて、前記ユーザーの身体にかかる負荷に係る情報を出力する。
【００４８】
当該情報は、ユーザーの標高変化と血中酸素量の変化との双方に基づくので、ユーザーの身体にかかる負荷、例えば、このまま運動を続けた場合のユーザーの身体の負荷を、正確に反映すると考えられる。よって、ユーザーは、自分が行っている運動の内容を見直すべきか否かを判断する際の目安として当該情報を用いることが可能である。
【００４９】
［適用例２２］
本適用例に係る表示装置は、ユーザーの位置する地点の標高変化に係る情報と、前記ユーザーの血中酸素量の変化に係る情報と、に基づいて、前記ユーザーの身体にかかる負荷を、前記血中酸素量と共に表示する。
【００５０】
従って、ユーザーは、ユーザーの身体にかかる負荷と共に、当該ユーザーの血中酸素量を確認することができる。
【００５１】
［適用例２３］
本適用例に係る表示装置は、前記血中酸素量の推移と共に前記負荷の推移を表示してもよい。
【００５２】
従って、ユーザーは、負荷の推移と共に血中酸素量の推移を確認することができる。
【００５３】
［適用例２４］
本適用例に係る表示装置は、前記血中酸素量の推移をグラフとして表示してもよい。
【００５４】
従って、ユーザーは、負荷の推移と共に血中酸素量の推移を視覚によって確認することができる。
【００５５】
［適用例２５］
本適用例に係る表示装置は、前記負荷の推移を前記グラフの色及び模様の少なくとも何れかで表してもよい。
【００５６】
従って、ユーザーは、色及び模様の少なくとも何れかによって負荷の推移を直感的に把握することができる。
【００５７】
［適用例２６］
本適用例に係る表示装置は、前記標高の推移のグラフ及び気圧の推移のグラフのうち少なくとも何れかを前記血中酸素量の推移の前記グラフと共に表示してもよい。
【００５８】
従って、ユーザーは、標高の推移のグラフ及び気圧の推移のグラフのうち少なくとも何れかを血中酸素量の推移のグラフと共に確認することができる。
【図面の簡単な説明】
【００５９】
【図１】システムの概要を説明するための図の一例である。
【図２】センサーデバイス及び電子機器の機能ブロック図の一例である。
【図３】情報端末及びサーバーの機能ブロック図の一例である。
【図４】センサーデバイス及び電子機器の装着例である。
【図５】センサーデバイスの外観の一例である。
【図６】センサーデバイスの外観の別の例である。
【図７】一般用テーブルの一例である。
【図８】中級用テーブルの一例である。
【図９】アスリート用テーブルの一例である。
【図１０】男性用テーブルの一例である。
【図１１】女性用テーブルの一例である。
【図１２】成人用テーブルの一例である。
【図１３】子供用テーブルの一例である。
【図１４】老人用テーブルの一例である。
【図１５】ユーザーのステータス情報を表示する画面の一例である。
【図１６】ユーザーのステータス情報を表示する画面の別の例である。
【図１７】ユーザーのステータス情報を表示する画面の更に別の例である。
【図１８】ユーザーのステータス情報を表示する画面の更に別の例である。
【図１９】ユーザーのステータス情報を表示する画面の更に別の例である。
【図２０】処理部のフローチャートの一例である。
【図２１】頭部装着型表示装置の一例である。
【発明を実施するための形態】
【００６０】
以下、本発明の好適な実施形態について図面を用いて詳細に説明する。なお、以下に説明する実施形態は、特許請求の範囲に記載された本発明の内容を不当に限定するものではない。また以下で説明される構成の全てが本発明の必須構成要件であるとは限らない。
【００６１】
１．システム
１−１．システムの概要
図１に示すとおり、本実施形態のシステム（生体モニタリングシステムの一例）は、電子機器１（携帯型電子機器の一例）と、センサーデバイス１Ｃと、情報端末２と、サーバー４とを備える。情報端末２、サーバー４の各々は、インターネットなどのネットワーク３に接続可能であって、情報端末２、サーバー４は、ネットワーク３を介して互いに通信可能である。また、電子機器１は、近距離無線通信などを介して情報端末２と互いに通信可能である。また、センサーデバイス１Ｃは、近距離無線通信などを介して電子機器１と互いに通信可能である。更には、センサーデバイス１Ｃと情報端末２とは、近距離無線通信などで直接的に通信可能であってもよい（ユーザーは、電子機器１をマスターデバイスとして用い、センサーデバイス１Ｃをスレーブデバイスとして用いてもよい。）。なお、本実施形態のシステムでは、電子機器１、センサーデバイス１Ｃ、情報端末２、サーバー４のうち一部を省略することも可能である。
【００６２】
電子機器１及びセンサーデバイス１Ｃの各々は、各種のセンサーを搭載した例えば防水型の機器であって、少なくとも１つのセンサーを駆動して生活中又は運動中の計測データ（各種センサーの出力データを時刻毎に紐付けしたもの）を取得する。生活又は運動に当たり、電子機器１及びセンサーデバイス１Ｃの少なくとも一方は、ユーザーの身体へ装着される。ここでいう「運動」には、起伏のあるルートをユーザーが移動する運動が含まれるものとする。以下、登山ルートをユーザーが移動する運動（登山）を想定する。
【００６３】
電子機器１の装着先は、例えば、ユーザーの肘から手に至る部位（前腕）である。ユーザーの生体に関する計測データを接触又は非接触で取得したり、必要なときに電子機器１をユーザーが目視したりできるよう、電子機器１はリスト型（腕時計型）の電子機器（アウトドアウォッチ）として構成され、電子機器１の装着先は手首である。電子機器１が手首へ装着される際には、手首の形状に適した装着具（ベルト）が用いられる。装着具には嵌合穴と尾錠が設けられる。尾錠は、尾錠枠及び係止部（突起棒）から構成される。電子機器１では、装着具に複数の嵌合穴が設けられ、尾錠の係止部を、複数の嵌合穴の何れか
に挿入することでユーザーへの装着が行われる。複数の嵌合穴は、装着具の長手方向に沿って設けられる。
【００６４】
センサーデバイス１Ｃの装着先は、運動の目的や計測の目的などに応じてユーザーが適宜に選択することが可能である。センサーデバイス１Ｃの装着先は、例えば、ユーザーの指先、頭部、上腕部、前腕部、腰部、前腕部、胸部、腰部、大腿部、下腿部、足首の何れかである。図１の例では、指先に装着されるタイプのセンサーデバイス１Ｃを示している。センサーデバイス１Ｃが身体の部位へ装着される際には、当該部位の形状や運動着などの形状に適した装着具（ベルト、クリップなど）が用いられてもよい。
【００６５】
情報端末２は、電子機器１又はセンサーデバイス１Ｃのユーザーが使用する情報端末であって、例えば、スマートフォン、携帯型又はデスクトップ型のＰＣ（パーソナルコンピュータ）、或いはタブレットＰＣなどで構成される。情報端末２は、例えば、電子機器１又はセンサーデバイス１Ｃの使用前にユーザーが電子機器１やセンサーデバイス１Ｃの設定等を行う際に用いられる。また、情報端末２は、例えば、電子機器１又はセンサーデバイス１Ｃの使用後にユーザーが自分の計測データを電子機器１又はセンサーデバイス１Ｃから読み出したり、読み出した計測データをサーバー４へアップロードしたりする際に用いられる。なお、情報端末２のユーザーは、電子機器１又はセンサーデバイス１Ｃを装着したユーザーの生活を見守る管理者や、電子機器１又はセンサーデバイス１Ｃを装着したユーザーの運動を指導するコーチなどであってもよい。
【００６６】
サーバー４は、電子機器１又はセンサーデバイス１Ｃのユーザーに向けて、電子機器１の利用に関連する情報を提供したり、電子機器１又はセンサーデバイス１Ｃが取得した計測データを、ユーザーごとに管理したりするサーバーである。サーバー４が提供する情報には、情報端末２が動作するためのプログラム、電子機器１が動作するためのプログラム、センサーデバイス１Ｃが動作するためのプログラムの少なくとも１つが含まれてもよい。なお、各機器のプログラムは、ネットワーク３を介して各機器へダウンロードされてもよいし、記録媒体を介して各機器へダウンロードされてもよい。サーバー４のプログラムについても同様である。
【００６７】
１−２．システムの構成
１−２−１．センサーデバイスの構成
図２に示すとおり、センサーデバイス１Ｃには、ＧＰＳセンサー１１０Ｃ、地磁気センサー１１１Ｃ、気圧センサー１１２Ｃ、加速度センサー１１３Ｃ、角速度センサー１１４Ｃ、脈センサー１１５Ｃ、温度センサー１１６Ｃ、ＳｐＯ２センサー１１７Ｃ、処理部１２０Ｃ、記憶部１３０Ｃ、操作部１５０Ｃ、計時部１６０Ｃ、表示部１７０Ｃ、音出力部１８０Ｃ、通信部１９０Ｃなどを含んで構成される。但し、センサーデバイス１Ｃの構成は、これらの構成要素の一部を削除又は変更し、或いは他の構成要素（例えば、湿度センサー、紫外線センサーなど）を追加したものであってもよい。
【００６８】
ＧＰＳセンサー１１０Ｃは、センサーデバイス１Ｃの位置などを示す測位データ（緯度、経度、高度、速度ベクトルなどのデータ）を生成して処理部１２０Ｃへ出力するセンサーであって、例えばＧＰＳ受信機（GPS: Global Positioning System）等を含んで構成される。ＧＰＳセンサー１１０Ｃは、外部から到来する所定周波数帯域の衛星信号を含む電磁波を不図示のＧＰＳアンテナで受信し、ＧＰＳ衛星からのＧＰＳ信号を抽出すると共に、当該ＧＰＳ信号に基づきセンサーデバイス１Ｃの位置などを示す測位データを生成する。
【００６９】
地磁気センサー１１１Ｃは、センサーデバイス１Ｃから見た地球の磁場の方向を示す地磁気ベクトルを検出するセンサーであって、例えば、互いに直交する３つの軸方向の磁束
密度を示す地磁気データを生成する。地磁気センサー１１１Ｃには、例えば、ＭＲ（Magnet resistive）素子、ＭＩ（Magnet impedance）素子、ホール素子などが用いられる。
【００７０】
気圧センサー１１２Ｃは、周辺の気圧（大気圧）を検出するセンサーであって、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。なお、気圧センサー１１２Ｃの出力は、測位データを補正するために使用されてもよい。或いは、気圧センサー１１２Ｃは、例えば、半導体製造技術を用いて製造されたＭＥＭＳ型気圧センサーであってもよい。具体的には、気圧センサー１１２Ｃは、受圧により撓み変形するダイヤフラム部と、ダイヤフラム部の撓みを検出する歪検出素子と、を備えている。ダイヤフラム部は、例えば、シリコンで構成されている。歪検出素子は、例えば、ピエゾ抵抗素子である。
【００７１】
加速度センサー１１３Ｃは、互いに交差する（理想的には直交する）３軸方向の各々の加速度を検出し、検出した３軸加速度の大きさ及び向きに応じたデジタル信号（加速度データ）を出力する慣性センサーである。なお、加速度センサー１１３Ｃの出力は、ＧＰＳセンサー１１０Ｃの測位データに含まれる位置の情報を補正するために使用されてもよい。
【００７２】
角速度センサー１１４Ｃは、互いに交差する（理想的には直交する）３軸方向の各々の角速度を検出し、計測した３軸角速度の大きさ及び向きに応じたデジタル信号（角速度データ）を出力する慣性センサーである。なお、角速度センサー１１４Ｃの出力は、ＧＰＳセンサー１１０Ｃの測位データに含まれる位置の情報を補正するために使用されてもよい。
【００７３】
脈センサー１１５Ｃは、ユーザーの脈拍を示す信号を生成して処理部１２０Ｃへ出力するセンサーであって、例えば、適当な波長を有した計測光を皮下の血管に向けて照射するＬＥＤ光源などの光源と、当該計測光に応じて血管で発生した光の強度変化を検出する受光素子とを有している。なお、「脈拍」とは心臓の拍動で血液が押し出されて生じた動脈内圧の変化が、全身の動脈に伝わった脈動のことであり、１分間あたりの脈動数を「脈拍数」という。心臓から離れた部位の血管に表れる「脈拍」は、心臓の拍動「心拍」との相関が高いので、ここでは「脈拍」を「心拍」と同等の意味で使用する。
【００７４】
温度センサー１１６Ｃは、ユーザーの身体の深部の温度を検出する深部温度センサーである。温度センサー１１６Ｃは、例えば、基材と、前記基材の第１位置の温度を第１温度として測定する第１温度センサーと、前記基材の前記第１位置とは異なる第２位置の温度を第２温度として測定する第２温度センサーと、前記基材を取り囲む外郭体の温度を前記外郭体内の媒体温度として測定する、前記基材に設けられた温度センサーと、前記第１温度と、前記第２温度と、前記媒体温度とを用いて、被験体の深部温度を演算する演算部とを含む。温度センサー１１６Ｃは、前記媒体温度が第１の媒体温度（Ｔｏｕｔ1）の際の前記第１温度（Ｔｂ1）と前記第２温度（Ｔｐ1）、及び、前記媒体温度が第２の媒体温度（Ｔｏｕｔ2）の際の前記第１温度（Ｔｂ2）と前記第２温度（Ｔｐ2）、及び、前記媒体温度が第３の媒体温度（Ｔｏｕｔ3）の際の前記第１温度（Ｔｂ3）と前記第２温度（Ｔｐ3）とから、前記媒体温度と、前記第１温度と、前記第２温度とを関係付ける定数を算出し、前記深部温度（Ｔｃ）を演算する。これらの温度センサーは、例えば、周辺の温度に応じた信号（例えば、温度に応じた電圧）を出力する感温素子である。なお、温度センサーは、温度に応じたデジタル信号を出力するものであってもよい。温度センサーは、例えば、周辺の温度に応じた振動片の共振周波数の変化を利用する方式（振動方式）の感圧素子を有している。この感圧素子は、例えば、水晶、ニオブ酸リチウム、タンタル酸リチウ
ム等の圧電材料で形成された圧電振動子であり、例えば、音叉型振動子、双音叉型振動子、ＡＴ振動子（厚みすべり振動子）、ＳＡＷ共振子などが適用される。或いは、温度センサーは、熱電対やサーミスターにより温度を検出する感温素子により構成されていてもよい。
【００７５】
ＳｐＯ２センサー１１７Ｃは、ユーザーの動脈血酸素飽和度（以下、「ＳｐＯ２」という。血中酸素量の一例。）に係る信号を出力するセンサーである。ＳｐＯ２センサー１１７Ｃは、例えば、ユーザーの皮下の血管内に向けて所定の波長の光を照射すると照射部と、ユーザーの血管から戻る反射光を受光してユーザーのＳｐＯ２に係る信号を出力する受光部とを含む。一般に、酸化ヘモグロビンＨｂＯ２と、還元ヘモグロビンＨｂとでは光吸収スペクトルが異なり、比較的長い波長であるλ１（＞λ）の光を照射した場合、当該光での吸光係数は酸化ヘモグロビンＨｂＯ２の方が大きいため、当該光の生体での透過光又は反射光の強度（受光部の出力値Ｖ１）は血管中の酸化ヘモグロビンの量を表す指標値となる。同様に、比較的短い波長であるλ２（＜λ）の光を照射した場合、当該光での吸光係数は還元ヘモグロビンＨｂの方が大きいため、当該光の生体での透過光又は反射光の強度（受光部の出力値Ｖ２）は血管中の還元ヘモグロビンの量を表す指標値となる。そのため、Ｖ１／（Ｖ１＋Ｖ２）は酸化ヘモグロビンの比率を表す指標値、すなわち血中酸素飽和度ＳｐＯ２に相関を持つ値となる。このように、酸化ヘモグロビンＨｂＯ２と、還元ヘモグロビンＨｂとでは光吸収スペクトルが異なるという特性を利用することで、異なる２つの波長の光の透過光、反射光から、ＳｐＯ２を求めることが可能である。以上では、シンプルな手法について説明したが、赤外光と赤色光を用いてＳｐＯ２、或いはＳｐＯ２に類する情報を求める手法は種々の変形実施が知られており、ＳｐＯ２センサー１１７Ｃはそれらを広く適用することが可能である。また、一方の波長での酸化ヘモグロビンＨｂＯ２と還元ヘモグロビンＨｂの吸光度が、他方の波長での吸光度と明確に異なるものであればよく、用いる波長は赤外光と赤色光に限定されない。例えば、一方の光を緑色光に変更するといった変形実施が可能である。なお、以下では、ＳｐＯ２センサー１１７Ｃの出力する信号に基づき処理部１２０ＣがＳｐＯ２の値（単位％）を算出するものとして説明を行うが、ＳｐＯ２の形式については異なる変形実施が可能である。
【００７６】
記憶部１３０Ｃは、例えば、ＲＯＭ（Read Only Memory）やフラッシュＲＯＭ、ＲＡＭ（Random Access Memory）等の各種ＩＣメモリー(IC: Integrated Circuit)やハードディスクやメモリーカードなどの、コンピューター読み取り可能な記録媒体等により構成される。記憶部１３０Ｃは、例えば１又は複数のＩＣメモリーなどにより構成され、プログラムなどのデータが記憶されるＲＯＭと、処理部１２０Ｃの作業領域となるＲＡＭとを有する。なお、ＲＡＭには不揮発性のＲＡＭも含まれる。
【００７７】
操作部１５０Ｃは、例えばボタン、キー、マイク、タッチパネル、音声認識機能（不図示のマイクロフォンを利用）、アクション検出機能（加速度センサー１１３Ｃなどを利用）などで構成され、ユーザーからの指示を適当な信号に変換して処理部１２０Ｃへ送る処理を行う。
【００７８】
計時部１６０Ｃは、例えば、リアルタイムクロック（ＲＴＣ：Real Time Clock）ＩＣなどにより構成され、年、月、日、時、分、秒等の時刻データを生成して処理部１２０Ｃに送る。
【００７９】
表示部１７０Ｃは、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１２０Ｃからの指示に従って各種の画像を表示する。
【００８０】
音出力部１８０Ｃは、例えばスピーカー、ブザー、バイブレーターなどで構成され、処
理部１２０Ｃからの指示に従って各種の音（又は振動）を発生させる。
【００８１】
通信部１９０Ｃは、センサーデバイス１Ｃと電子機器１（又は情報端末２）との間のデータ通信を成立させるための各種制御を行う。通信部１９０Ｃは、例えば、Bluetooth（登録商標）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００８２】
処理部１２０Ｃは、例えば、ＭＰＵ（Micro Processing Unit）、ＤＳＰ（Digital Signal Processor）、ＡＳＩＣ（Application Specific Integrated Circuit）等により構成される。処理部１２０Ｃは、記憶部１３０Ｃに格納されたプログラムと、操作部１５０Ｃを介してユーザーが入力した各種のコマンドとに従い各種の処理を行う。処理部１２０Ｃによる処理には、ＧＰＳセンサー１１０Ｃ、地磁気センサー１１１Ｃ、気圧センサー１１２Ｃ、加速度センサー１１３Ｃ、角速度センサー１１４Ｃ、脈センサー１１５Ｃ、温度センサー１１６Ｃ、血中酸素飽和度センサー（以下、「ＳｐＯ２センサー」という。）１１７Ｃ、計時部１６０Ｃなどが生成するデータへのデータ処理、表示部１７０Ｃへ画像を表示させる表示処理、音出力部１８０Ｃに音を出力させる音出力処理などが含まれる。処理部１２０Ｃは、各種プログラムに従い、通信部１９０Ｃを介して電子機器１から制御コマンドを受信する処理や、通信部１９０Ｃを介して電子機器１から受信したデータに対する各種の計算処理を行う。また、処理部１２０Ｃは、各種プログラムに従い、記憶部１３０Ｃからデータを読み出して、通信部１９０Ｃを介して電子機器１に所定のフォーマットで送信する処理を行う。また、処理部１２０Ｃは、各種プログラムに従い、通信部１９０Ｃを介して、電子機器１に各種の情報を送信し、電子機器１から受信した情報に基づいて各種の画面を表示する処理等を行う。また、処理部１２０Ｃは、その他の各種の制御処理を行う。例えば、処理部１２０Ｃは、通信部１９０Ｃが受信した情報、記憶部１３０Ｃに格納された情報の少なくとも一部に基づき、表示部１７０Ｃへ画像（画像、動画像、文字、記号等）を表示させる処理を実行する。なお、センサーデバイス１Ｃに振動機構を設けておいて、当該振動機構により各種の情報を振動情報に変換してユーザーに通知してもよい。
【００８３】
１−２−２．電子機器の構成
図２に示すとおり、電子機器１には、ＧＰＳセンサー１１０、地磁気センサー１１１、気圧センサー１１２、加速度センサー１１３、角速度センサー１１４、脈センサー１１５、温度センサー１１６、血中酸素飽和度センサー（以下、「ＳｐＯ２センサー」という。）１１７、処理部１２０、記憶部１３０、操作部１５０、計時部１６０、表示部１７０、音出力部１８０、通信部１９０などを含んで構成される。但し、電子機器１の構成は、これらの構成要素の一部を削除又は変更し、或いは他の構成要素（例えば、湿度センサー、紫外線センサーなど）を追加したものであってもよい。
【００８４】
ＧＰＳセンサー１１０は、電子機器１の位置などを示す測位データ（緯度、経度、高度、速度ベクトルなどのデータ）を生成して処理部１２０へ出力するセンサーであって、例えばＧＰＳ受信機（GPS: Global Positioning System）等を含んで構成される。ＧＰＳセンサー１１０は、外部から到来する所定周波数帯域の衛星信号を含む電磁波を不図示のＧＰＳアンテナで受信し、ＧＰＳ衛星からのＧＰＳ信号を抽出すると共に、当該ＧＰＳ信号に基づき電子機器１の位置などを示す測位データを生成する。
【００８５】
地磁気センサー１１１は、電子機器１から見た地球の磁場の方向を示す地磁気ベクトルを検出するセンサーであって、例えば、互いに直交する３つの軸方向の磁束密度を示す地磁気データを生成する。地磁気センサー１１１には、例えば、ＭＲ（Magnet resistive）
素子、ＭＩ（Magnet impedance）素子、ホール素子などが用いられる。
【００８６】
気圧センサー１１２は、周辺の気圧（大気圧）を検出するセンサーであって、例えば、振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。なお、気圧センサー１１２の出力は、測位データを補正するために使用されてもよい。或いは、気圧センサー１１２は、例えば、半導体製造技術を用いて製造されたＭＥＭＳ型気圧センサーであってもよい。具体的には、気圧センサー１１２は、受圧により撓み変形するダイヤフラム部と、ダイヤフラム部の撓みを検出する歪検出素子と、を備えている。ダイヤフラム部は、例えば、シリコンで構成されている。歪検出素子は、例えば、ピエゾ抵抗素子である。
【００８７】
加速度センサー１１３は、互いに交差する（理想的には直交する）３軸方向の各々の加速度を検出し、検出した３軸加速度の大きさ及び向きに応じたデジタル信号（加速度データ）を出力する慣性センサーである。なお、加速度センサー１１３の出力は、ＧＰＳセンサー１１０の測位データに含まれる位置の情報を補正するために使用されてもよい。
【００８８】
角速度センサー１１４は、互いに交差する（理想的には直交する）３軸方向の各々の角速度を検出し、計測した３軸角速度の大きさ及び向きに応じたデジタル信号（角速度データ）を出力する慣性センサーである。なお、角速度センサー１１４の出力は、ＧＰＳセンサー１１０の測位データに含まれる位置の情報を補正するために使用されてもよい。
【００８９】
脈センサー１１５は、ユーザーの脈拍を示す信号を生成して処理部１２０へ出力するセンサーであって、例えば、適当な波長を有した計測光を皮下の血管に向けて照射するＬＥＤ光源などの光源と、当該計測光に応じて血管で発生した光の強度変化を検出する受光素子とを有している。なお、「脈拍」とは心臓の拍動で血液が押し出されて生じた動脈内圧の変化が、全身の動脈に伝わった脈動のことであり、１分間あたりの脈動数を「脈拍数」という。心臓から離れた部位の血管に表れる「脈拍」は、心臓の拍動「心拍」との相関が高いので、ここでは「脈拍」を「心拍」と同等の意味で使用する。
【００９０】
温度センサー１１６は、ユーザーの身体の深部の温度を検出する深部温度センサーである。温度センサー１１６は、例えば、基材と、前記基材の第１位置の温度を第１温度として測定する第１温度センサーと、前記基材の前記第１位置とは異なる第２位置の温度を第２温度として測定する第２温度センサーと、前記基材を取り囲む外郭体の温度を前記外郭体内の媒体温度として測定する、前記基材に設けられた温度センサーと、前記第１温度と、前記第２温度と、前記媒体温度とを用いて、被験体の深部温度を演算する演算部とを含む。温度センサー１１６は、前記媒体温度が第１の媒体温度（Ｔｏｕｔ1）の際の前記第１温度（Ｔｂ1）と前記第２温度（Ｔｐ1）、及び、前記媒体温度が第２の媒体温度（Ｔｏｕｔ2）の際の前記第１温度（Ｔｂ2）と前記第２温度（Ｔｐ2）、及び、前記媒体温度が第３の媒体温度（Ｔｏｕｔ3）の際の前記第１温度（Ｔｂ3）と前記第２温度（Ｔｐ3）とから、前記媒体温度と、前記第１温度と、前記第２温度とを関係付ける定数を算出し、前記深部温度（Ｔｃ）を演算する。これらの温度センサーは、例えば、周辺の温度に応じた信号（例えば、温度に応じた電圧）を出力する感温素子である。なお、温度センサーは、温度に応じたデジタル信号を出力するものであってもよい。温度センサーは、例えば、周辺の温度に応じた振動片の共振周波数の変化を利用する方式（振動方式）の感圧素子を有している。この感圧素子は、例えば、水晶、ニオブ酸リチウム、タンタル酸リチウム等の圧電材料で形成された圧電振動子であり、例えば、音叉型振動子、双音叉型振動子、ＡＴ振動子（厚みすべり振動子）、ＳＡＷ共振子などが適用される。或いは、温度センサーは、熱電対やサーミスターにより温度を検出する感温素子により構成されていてもよい。
【００９１】
ＳｐＯ２センサー１１７は、ユーザーの動脈血酸素飽和度（以下、「ＳｐＯ２」という。血中酸素量の一例。）に係る信号を出力するセンサーである。ＳｐＯ２センサー１１７は、例えば、ユーザーの皮下の血管内に向けて所定の波長の光を照射すると照射部と、ユーザーの血管から戻る反射光を受光してユーザーのＳｐＯ２に係る信号を出力する受光部とを含む。一般に、酸化ヘモグロビンＨｂＯ２と、還元ヘモグロビンＨｂとでは光吸収スペクトルが異なり、比較的長い波長であるλ１（＞λ）の光を照射した場合、当該光での吸光係数は酸化ヘモグロビンＨｂＯ２の方が大きいため、当該光の生体での透過光又は反射光の強度（受光部の出力値Ｖ１）は血管中の酸化ヘモグロビンの量を表す指標値となる。同様に、比較的短い波長であるλ２（＜λ）の光を照射した場合、当該光での吸光係数は還元ヘモグロビンＨｂの方が大きいため、当該光の生体での透過光又は反射光の強度（受光部の出力値Ｖ２）は血管中の還元ヘモグロビンの量を表す指標値となる。そのため、Ｖ１／（Ｖ１＋Ｖ２）は酸化ヘモグロビンの比率を表す指標値、すなわち血中酸素飽和度ＳｐＯ２に相関を持つ値となる。このように、酸化ヘモグロビンＨｂＯ２と、還元ヘモグロビンＨｂとでは光吸収スペクトルが異なるという特性を利用することで、異なる２つの波長の光の透過光、反射光から、ＳｐＯ２を求めることが可能である。以上では、シンプルな手法について説明したが、赤外光と赤色光を用いてＳｐＯ２、或いはＳｐＯ２に類する情報を求める手法は種々の変形実施が知られており、ＳｐＯ２センサー１１７はそれらを広く適用することが可能である。また、一方の波長での酸化ヘモグロビンＨｂＯ２と還元ヘモグロビンＨｂの吸光度が、他方の波長での吸光度と明確に異なるものであればよく、用いる波長は赤外光と赤色光に限定されない。例えば、一方の光を緑色光に変更するといった変形実施が可能である。なお、以下では、ＳｐＯ２センサー１１７の出力する信号に基づき処理部１２０がＳｐＯ２の値（単位％）を算出するものとして説明を行うが、ＳｐＯ２の形式については異なる変形実施が可能である。
【００９２】
記憶部１３０は、例えば、ＲＯＭ（Read Only Memory）やフラッシュＲＯＭ、ＲＡＭ（Random Access Memory）等の各種ＩＣメモリー(IC: Integrated Circuit)やハードディスクやメモリーカードなどの、コンピューター読み取り可能な記録媒体等により構成される。記憶部１３０は、例えば１又は複数のＩＣメモリーなどにより構成され、プログラムなどのデータが記憶されるＲＯＭと、処理部１２０の作業領域となるＲＡＭとを有する。なお、ＲＡＭには不揮発性のＲＡＭも含まれる。
【００９３】
操作部１５０は、例えばボタン、キー、マイク、タッチパネル、音声認識機能（不図示のマイクロフォンを利用）、アクション検出機能（加速度センサー１１３などを利用）などで構成され、ユーザーからの指示を適当な信号に変換して処理部１２０へ送る処理を行う。
【００９４】
計時部１６０は、例えば、リアルタイムクロック（ＲＴＣ：Real Time Clock）ＩＣなどにより構成され、年、月、日、時、分、秒等の時刻データを生成して処理部１２０に送る。
【００９５】
表示部１７０は、例えばＬＣＤ（Liquid Crystal Display）、有機ＥＬ（Electroluminescence）ディスプレイ、ＥＰＤ（Electrophoretic Display）、タッチパネル型ディスプレイ等で構成され、処理部１２０からの指示に従って各種の画像を表示する。
【００９６】
音出力部１８０は、例えばスピーカー、ブザー、バイブレーターなどで構成され、処理部１２０からの指示に従って各種の音（又は振動）を発生させる。
【００９７】
通信部１９０は、電子機器１とセンサーデバイス１Ｃ又は情報端末２との間のデータ通信を成立させるための各種制御を行う。通信部１９０は、例えば、Bluetooth（登録商標
）（BTLE：Bluetooth Low Energyを含む）、Ｗｉ−Ｆｉ（登録商標）（Wi-Fi:Wireless Fidelity）、Ｚｉｇｂｅｅ（登録商標）、ＮＦＣ（Near field communication）、ＡＮＴ＋（登録商標）等の近距離無線通信規格に対応した送受信機を含んで構成される。
【００９８】
処理部１２０は、例えば、ＭＰＵ（Micro Processing Unit）、ＤＳＰ（Digital Signal Processor）、ＡＳＩＣ（Application Specific Integrated Circuit）等により構成される。処理部１２０は、記憶部１３０に格納されたプログラムと、操作部１５０を介してユーザーが入力した各種のコマンドとに従い各種の処理を行う。処理部１２０による処理には、ＧＰＳセンサー１１０、地磁気センサー１１１、気圧センサー１１２、加速度センサー１１３、角速度センサー１１４、脈センサー１１５、温度センサー１１６、計時部１６０などが生成するデータへのデータ処理、表示部１７０へ画像を表示させる表示処理、音出力部１８０に音を出力させる音出力処理などが含まれる。処理部１２０は、各種プログラムに従い、通信部１９０を介して情報端末２から制御コマンドを受信する処理や、通信部１９０を介して情報端末２から受信したデータに対する各種の計算処理を行う。また、処理部１２０は、各種プログラムに従い、記憶部１３０からデータを読み出して、通信部１９０を介して情報端末２に所定のフォーマットで送信する処理を行う。また、処理部１２０は、各種プログラムに従い、通信部１９０を介して、情報端末２に各種の情報を送信し、情報端末２から受信した情報に基づいて各種の画面を表示する処理等を行う。また、処理部１２０は、その他の各種の制御処理を行う。例えば、処理部１２０は、通信部１９０が受信した情報、記憶部１３０に格納された情報の少なくとも一部に基づき、表示部１７０へ画像（画像、動画像、文字、記号等）を表示させる処理を実行する。なお、電子機器１に振動機構を設けておいて、当該振動機構により各種の情報を振動情報に変換してユーザーに通知してもよい。
【００９９】
１−２−３．情報端末の構成
図３に示すとおり、情報端末２は、処理部２１、通信部２２、操作部２３、記憶部２４、表示部２５、音出力部２６、通信部２７、及び撮像部２８を含んで構成されている。ただし、情報端末２は、適宜、これらの構成要素の一部が削除又は変更され、あるいは、他の構成要素が付加された構成であってもよい。
【０１００】
通信部２２は、電子機器１（又はセンサーデバイス１Ｃ）から所定のフォーマットで送信されたデータ（計測データ）等を受信し、処理部２１に送る処理や、処理部２１からの制御コマンドを電子機器１又はセンサーデバイス１Ｃに送信する処理等を行う。
【０１０１】
操作部２３は、ユーザーの操作に応じたデータを取得し、処理部２１に送る処理を行う。操作部２３は、例えば、タッチパネル型ディスプレイ、ボタン、キー、マイクなどであってもよい。
【０１０２】
記憶部２４は、例えば、ＲＯＭ（Read Only Memory）やフラッシュＲＯＭ、ＲＡＭ（Random Access Memory）等の各種ＩＣメモリー(IC: Integrated Circuit)やハードディスクやメモリーカードなどの、コンピューター読み取り可能な記録媒体等により構成される。記憶部２４は、処理部２１が各種の計算処理や制御処理を行うためのプログラムや、アプリケーション機能を実現するための各種プログラムやデータ等を記憶している。また、記憶部２４は、処理部２１の作業領域として用いられ、操作部２３が取得したデータ、処理部２１が各種プログラムに従って実行した演算結果等を一時的に記憶する。更に、記憶部２４は、処理部２１の処理により生成されたデータのうち、長期的な保存が必要なデータを記憶してもよい。
【０１０３】
表示部２５は、処理部２１の処理結果を文字、グラフ、表、アニメーション、その他の画像として表示するものである。表示部２５は、例えば、ＣＲＴ(CRT: Cathode Ray Tube
)、ＬＣＤ(LCD: liquid crystal display)、タッチパネル型ディスプレイ、ヘッドマウントディスプレイ（ＨＭＤ：Head Mounted Display）などであってもよい。なお、１つのタッチパネル型ディスプレイで操作部２３と表示部２５の機能を実現するようにしてもよい。
【０１０４】
音出力部２６は、処理部２１の処理結果を音声やブザー音等の音（又は振動）として出力するものである。音出力部２６は、例えば、スピーカーやブザーなどであってもよい。
【０１０５】
通信部２７は、ネットワーク３を介してサーバー４の通信部４２との間でデータ通信を行うものである。例えば、通信部２７は、処理部２１からデータを受け取って、サーバー４の通信部４２に所定のフォーマットで送信する処理を行う。また、例えば、通信部２７は、画面の表示に必要な情報をサーバー４の通信部４２から受信して処理部２１に送る処理や、各種の情報を処理部２１から受け取ってサーバー４の通信部４２に送信する処理を行う。
【０１０６】
撮像部２８は、レンズ、カラー撮像素子、焦点調節機構などを備えたカメラであって、レンズが形成する被写界の像を撮像素子により画像化する。撮像素子が取得した画像のデータ（画像データ）は、処理部２１へ送られ、記憶部２４へ保存されたり表示部２５へ表示されたりする。
【０１０７】
処理部（コンピューターの一例）２１は、ＣＰＵ（Central Processing Unit）、ＤＳＰ（Digital Signal Processor）、ＡＳＩＣ（Application Specific Integrated Circuit）等により構成される。処理部２１は、記憶部２４に格納されたプログラムと、操作部２３を介してユーザーが入力した各種のコマンドとに従い各種の処理を行う。処理部２１による処理には、電子機器１又はセンサーデバイス１Ｃが生成するデータに対するデータ処理、表示部２５へ画像を表示させる表示処理、音出力部２６に音を出力させる音出力処理、撮像部２８が取得した画像への画像処理などが含まれる。なお、処理部２１は、単一のプロセッサー（Processor）で構成されてもよいし、複数のプロセッサー（Processor）により構成されてもよい。処理部２１は、各種プログラムに従い、通信部２２を介して電子機器１に制御コマンドを送信する処理や、通信部２２を介して電子機器１から受信したデータに対する各種の計算処理を行う。また、処理部２１は、各種プログラムに従い、記憶部２４からデータを読み出して、通信部２７を介してサーバー４に所定のフォーマットで送信する処理を行う。また、処理部２１は、各種プログラムに従い、通信部２７を介して、サーバー４に各種の情報を送信し、サーバー４から受信した情報に基づいて各種の画面を表示する処理等を行う。また、処理部２１は、その他の各種の制御処理を行う。例えば、処理部２１は、通信部２７が受信した情報、通信部２２が受信した情報、記憶部２４に格納された情報の少なくとも一部に基づき、表示部２５へ画像（画像、動画像、文字、記号等）を表示させる処理を実行する。なお、情報端末２、電子機器１、又はセンサーデバイス１Ｃに振動機構を設けておいて、当該振動機構により各種の情報を振動情報に変換してユーザーに通知してもよい。
【０１０８】
１−２−４．サーバーの構成
図３に示すとおり、サーバー４は、処理部４１、通信部４２、記憶部４４を含んで構成されている。ただし、サーバー４は、適宜、これらの構成要素の一部が削除又は変更され、あるいは、他の構成要素が付加された構成であってもよい。
【０１０９】
記憶部４４は、例えば、ＲＯＭ（Read Only Memory）やフラッシュＲＯＭ、ＲＡＭ（Random Access Memory）等の各種ＩＣメモリー(IC: Integrated Circuit)やハードディスクやメモリーカードなどの、コンピューター読み取り可能な記録媒体等により構成される。記憶部４４は、処理部４１が各種の計算処理や制御処理を行うためのプログラムや、アプ
リケーション機能を実現するための各種プログラムやデータ等を記憶している。記憶部４４は、処理部４１の作業領域として用いられ、処理部４１が各種プログラムに従って実行した演算結果等を一時的に記憶する。更に、記憶部４４は、処理部４１の処理により生成されたデータのうち、長期的な保存が必要なデータを記憶してもよい。
【０１１０】
通信部４２は、ネットワーク３を介して情報端末２の通信部２７との間でデータ通信を行うものである。例えば、通信部４２は、情報端末２の通信部２７からデータを受け取って、処理部４１に送る処理を行う。また、例えば、通信部４２は、画面の表示に必要な情報を所定のフォーマットで情報端末２の通信部２７に送信する処理や、情報を情報端末２の通信部２７から受信して処理部４１に送る処理を行う。
【０１１１】
処理部４１は、各種プログラムに従い、通信部４２を介して情報端末２からデータを受信して、記憶部４４に記憶させる処理を行う。また、処理部４１は、各種プログラムに従い、通信部４２を介して、情報端末２から各種の情報を受信し、各種の画面の表示に必要な情報を情報端末２に送信する処理等を行う。また、処理部４１は、その他の各種の制御処理を行う。
【０１１２】
１−２−５．システム構成のバリエーション
ユーザーは、図４に示すとおり、ヘッドマウントディスプレイ（ＨＭＤ）などと呼ばれる頭部装着型の表示部１７０’を用いることも可能である。頭部装着型の表示部１７０’は、電子機器１との間でデータ通信を行い、画像表示用のデータを電子機器１から受信し、そのデータに基づきユーザーの眼前に画像を表示する。このような表示部１７０’としては、例えば、後述する頭部装着型表示装置（図２１参照）を用いることができる。
【０１１３】
また、ユーザーは、例えば、ＳｐＯ２を自分の指先から計測したい場合などには、図４に示すとおり自分の指先にクリップ状のセンサーデバイス１Ｃを装着してもよい。図５、図６には、クリップ状のセンサーデバイス１Ｃの外観例を示した。図５に示すのは、表示部１７０Ｃが省略されたクリップ状のセンサーデバイス１Ｃの例であり、図６に示すのは、表示部１７０Ｃが一体で設けられたクリップ状のセンサーデバイス１Ｃの例である。
【０１１４】
また、クリップ状のセンサーデバイス１Ｃを用いる場合、ユーザーは、電子機器１を手首へ装着し、当該電子機器１をマスターデバイスとして用い、電子機器１を介してセンサーデバイス１Ｃを遠隔で操作してもよい。例えば、センサーデバイス１Ｃは、マスターデバイスとしての電子機器１と定期的に通信し、センサーデバイス１Ｃが取得した計測データを電子機器１へ逐次に送信する。
【０１１５】
また、ユーザーは、複数のセンサーデバイス１Ｃをユーザーの身体の複数の部位へ個別に装着することも可能である。
【０１１６】
また、センサーデバイス１Ｃは、例えば、メダル状、ベルト状、シール状など、様々な形態をとり得る。
【０１１７】
また、本システムにおいて、ユーザーの生活を見守る管理者、又は、ユーザーの運動を指導するコーチを設ける場合には、センサーデバイス１Ｃの出力する情報、又は当該情報に基づく情報の提示先（出力先）を情報端末２とし、情報端末２を管理者又はコーチに操作させてもよい。また、情報の提示先（出力先）は、電子機器１のユーザーの家族、山小屋の管理者、登山パーティーの仲間であってもよい。また、何れかのユーザーに対する情報の提供（出力）は、ネットワーク３及びサーバー４を経由して行われてもよい。
【０１１８】
また、ユーザーは、センサーデバイス１Ｃを用いずに電子機器１のみを装着してもよい
。この場合、電子機器１は、電子機器１に内蔵された少なくとも１つのセンサーが出力する情報を、通信を介さずに直接的にユーザーへ提示することが可能である。
【０１１９】
１−３．生体モニタリングの手法
１−３−１．概要
本実施形態に係るシステム（生体モニタリングシステムの一例）は、ユーザーの昇高速度（ユーザーの位置する地点の標高変化に係る情報の一例）と、ユーザーの酸素飽和度低下速度（ユーザーの血中酸素量の変化に係る情報の一例である。以下、「ＳｐＯ２低下速度」という。）と、に基づいて、ユーザーの身体の状態を示すステータス情報（ユーザーの身体にかかる負荷に係る情報の一例）を出力する出力部を含む。ステータス情報は、ユーザーの身体の状態を、「危険」、「やや危険」、「正常」の３通りの何れかで表す情報である。このステータス情報は、ユーザーの昇高速度とＳｐＯ２低下速度との双方に基づくので、ユーザーの身体の状態、例えば、このまま運動を続けた場合のユーザーの身体の状態を、正確に反映（予測）すると考えられる。よって、ユーザーは、自分が行っている運動の内容を見直すべきか否かを判断する際の目安としてステータス情報を用いることが可能である。ここでは、ステータス情報を、「危険」、「やや危険」、「正常」の３通りの段階で表現する場合を例に挙げるが、段階の数は「３」より多くすることも可能であるし、「２」とすることも可能である。
【０１２０】
なお、本実施形態のシステムにおいて、出力部として動作可能な要素は、センサーデバイス１Ｃの表示部１７０Ｃ、音出力部１８０Ｃ、電子機器１の表示部１７０、音出力部１８０、情報端末２の表示部２５、音出力部２６などである。但し、ここでは、システムの電子機器１が単体で動作可能な場合を例に挙げて説明する。この場合、出力部として動作可能な要素は、電子機器１の表示部１７０、音出力部１８０などである。また、この場合、電子機器１の記憶部１３０に格納されたプログラムが本発明の生体モニタリングプログラムの一例となり、当該プログラムの書き込まれた記憶媒体が本発明の記憶媒体の一例となり、処理部１２０の実行する処理の方法が本発明の生体モニタリング方法の一例となり、表示部１７０が本発明の表示装置の一例となる。
【０１２１】
１−３−２．テーブル
１−３−２−１．テーブルの概要
本実施形態に係るシステムにおいて、電子機器１は、例えば図７乃至図１４の何れかに示すとおり、ユーザーの昇高速度及びＳｐＯ２低下速度の組み合わせと、ステータス情報との対応関係に係るテーブル（対応関係に係る情報の一例）を記憶する記憶部１３０を含む。
【０１２２】
電子機器１の処理部１２０は、例えば、現時点におけるＧＰＳセンサー１１０の出力（標高に係る出力）の単位時間当たりの変化量に基づき、ユーザーの現時点における昇高速度を算出する。
【０１２３】
また、電子機器１の処理部１２０は、例えば、現時点におけるＧＰＳセンサー１１０の出力（ＳｐＯ２に係る出力）の単位時間当たりの変化量に基づき、ユーザーの現時点におけるＳｐＯ２低下速度を算出する。
【０１２４】
そして、処理部１２０は、算出した昇高速度及びＳｐＯ２低下速度の組み合わせに応じて記憶部１３０のテーブル（例えば、図７乃至図１４の何れか）を参照することにより、当該組み合わせに対応付けられたステータス情報を、ユーザーへ出力すべきステータス情報として特定する。
【０１２５】
従って、記憶部１３０のテーブル（例えば、図７乃至図１４の何れか）によると、処理
部１２０は、現時点におけるユーザーの昇高速度及び現時点におけるユーザーのＳｐＯ２低下速度からステータス情報を取得する際における処理部１２０の演算量を、低減することが可能である。
【０１２６】
１−３−２−２．レベル別テーブル
例えば、記憶部１３０は、図７乃至図９に示すとおり、ユーザーの身体能力のレベル毎にテーブルを記憶する。
【０１２７】
一方、ユーザーは、操作部１５０を介して自分の身体能力のレベル（一般、中級、アスリートの別）を電子機器１へ入力する。ユーザーが入力したレベルは、記憶部１３０へユーザーデータの１つとして書き込まれる。
【０１２８】
そして、処理部１２０は、当該ユーザーのステータス情報を取得する際に、当該ユーザーのユーザーデータに基づき当該ユーザーの身体能力のレベルを判定し、当該レベルについて用意されたテーブルを記憶部１３０から読み出し、ステータス情報の取得に用いる。
【０１２９】
従って、処理部１２０は、身体能力のレベルの異なる様々なユーザーの各々にとって適切なステータス情報を取得することができる。
【０１３０】
１−３−２−２−１．一般用テーブル
一般用テーブル（図７）は、一般ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１３１】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１３２】
従って、一般ユーザーが緩やかな坂道を低速で上昇しているときよりも、一般ユーザーが急峻な坂道を高速で上昇しているときの方が、高い危険度のステータス情報「危険」が出力される可能性は高まる。また、一般ユーザーのＳｐＯ２低下速度が緩やかであるときよりも、一般ユーザーのＳｐＯ２低下速度が急峻であるときの方が、高い危険度のステータス情報「危険」が出力される可能性は高まる。
【０１３３】
なお、テーブルの分割数、テーブルの分割パターン（ステータス情報の区分け）、ステータス情報の数などは、図７に示したものに限定されることはない。
【０１３４】
また、このテーブルは、一般ユーザーに対して出力されるステータス情報が常に適正となるように設定されている。そのために、このテーブルは、一般ユーザーに関する統計情報などに基づき設計されることが望ましい。
【０１３５】
１−３−２−２−２．中級用テーブル
中級用テーブル（図８）は、中級ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１３６】
つまり、最高の昇高速度及び最高のＳｐＯ２の組み合わせには最高の危険度を示すステータス情報「危険」が対応付けられ、最低の昇高速度及び最低のＳｐＯ２の組み合わせに
は最低の危険度を示すステータス情報「正常」が対応付けられている。
【０１３７】
従って、中級ユーザーが緩やかな坂道を低速で上昇しているときよりも、中級ユーザーが急峻な坂道を高速で上昇しているときの方が、高い危険度のステータス情報「危険」が出力される可能性は高まる。また、中級ユーザーのＳｐＯ２低下速度が緩やかであるときよりも、中級ユーザーのＳｐＯ２低下速度が急峻であるときの方が、高い危険度のステータス情報「危険」が出力される可能性は高まる。
【０１３８】
なお、テーブルの分割数、テーブルの分割パターン（ステータス情報の区分け）、ステータス情報の数などは、図８に示したものに限定されることはない。
【０１３９】
また、このテーブルは、中級ユーザーに対して出力されるステータス情報が常に適正となるように設定されている。そのために、このテーブルは、中級ユーザーに関する統計情報などに基づき設計されることが望ましい。
【０１４０】
なお、中級ユーザーとは、一般ユーザーより運動（ここでは登山）の熟練度が高く、アスリートユーザーより運動（ここでは登山）の熟練度が低いユーザーのことである。ここでいう「熟練度」は、標高及び酸素飽和度の変化に対する身体の適応力（血液へ酸素を取り込む能力）の高さのことを指している。
【０１４１】
１−３−２−２−３．アスリート用テーブル
アスリート用テーブル（図９）は、アスリートユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１４２】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１４３】
従って、アスリートユーザーが緩やかな坂道を低速で上昇しているときよりも、アスリートユーザーが急峻な坂道を高速で上昇しているときの方が、高い危険度のステータス情報「危険」が出力される可能性は高まる。また、アスリートユーザーのＳｐＯ２低下速度が緩やかであるときよりも、アスリートユーザーのＳｐＯ２低下速度が急峻であるときの方が、高い危険度のステータス情報「危険」が出力される可能性は高まる。
【０１４４】
なお、テーブルの分割数、テーブルの分割パターン（ステータス情報の区分け）、ステータス情報の数などは、図９に示したものに限定されることはない。
【０１４５】
また、このテーブルは、アスリートユーザーに対して出力されるステータス情報が常に適正となるように設定されている。そのために、このテーブルは、アスリートユーザーに関する統計情報などに基づき設計されることが望ましい。
【０１４６】
また、アスリートユーザーとは、中級ユーザーより運動（ここでは登山）の熟練度が高いユーザーのことである。ここでいう「熟練度」は、標高及び酸素飽和度の変化に対する身体の適応力（血液へ酸素を取り込む能力）の高さのことを指している。
【０１４７】
１−３−２−３．男女別テーブル
また、例えば、記憶部１３０は、図１０、図１１に示すとおり、ユーザーの性別毎にテーブルを記憶する。
【０１４８】
一方、ユーザーは、操作部１５０を介して自分の性別（男女の別）を電子機器１へ入力する。ユーザーが入力した性別は、記憶部１３０へユーザーデータの１つとして書き込まれる。
【０１４９】
そして、処理部１２０は、当該ユーザーのステータス情報を取得する際に、当該ユーザーのユーザーデータに基づき当該ユーザーの性別を判定し、当該性別について用意されたテーブルを記憶部１３０から読み出し、ステータス情報の取得に用いる。
【０１５０】
従って、処理部１２０は、性別の異なる様々なユーザーの各々にとって適切なステータス情報を取得することができる。
【０１５１】
１−３−２−３−１．男性用テーブル
男性用テーブル（図１０）は、男性ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１５２】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１５３】
従って、男性ユーザーが緩やかな坂道を低速で上昇しているときよりも、男性ユーザーが急峻な坂道を高速で上昇しているときの方が、高い危険度のステータス情報「危険」が出力される可能性は高まる。また、男性ユーザーのＳｐＯ２低下速度が緩やかであるときよりも、男性ユーザーのＳｐＯ２低下速度が急峻であるときの方が、高い危険度のステータス情報「危険」が出力される可能性は高まる。
【０１５４】
なお、テーブルの分割数、テーブルの分割パターン（ステータス情報の区分け）、ステータス情報の数などは、図１０に示したものに限定されることはない。
【０１５５】
また、このテーブルは、男性ユーザーに対して出力されるステータス情報が常に適正となるように設定されている。そのために、このテーブルは、男性ユーザーに関する統計情報などに基づき設計されることが望ましい。
【０１５６】
１−３−２−３−２．女性用テーブル
女性用テーブル（図１１）は、女性ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１５７】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１５８】
従って、女性ユーザーが緩やかな坂道を低速で上昇しているときよりも、女性ユーザーが急峻な坂道を高速で上昇しているときの方が、高い危険度のステータス情報「危険」が出力される可能性は高まる。また、女性ユーザーのＳｐＯ２低下速度が緩やかであるときよりも、女性ユーザーのＳｐＯ２低下速度が急峻であるときの方が、高い危険度のステータス情報「危険」が出力される可能性は高まる。
【０１５９】
なお、テーブルの分割数、テーブルの分割パターン（ステータス情報の区分け）、ステータス情報の数などは、図１１に示したものに限定されることはない。
【０１６０】
また、このテーブルは、女性ユーザーに対して出力されるステータス情報が常に適正となるように設定されている。そのために、このテーブルは、女性ユーザーに関する統計情報などに基づき設計されることが望ましい。
【０１６１】
１−３−２−４．年齢別テーブル
また、例えば、記憶部１３０は、図１２乃至図１４に示すとおり、ユーザーの年齢に応じて（すなわち、年齢層毎に又は年齢毎に）テーブルを記憶してもよい。
【０１６２】
一方、ユーザーは、操作部１５０を介して自分の年齢（年齢層）を電子機器１へ入力する。ユーザーが入力した年齢（年齢層）は、記憶部１３０へユーザーデータの１つとして書き込まれる。
【０１６３】
そして、処理部１２０は、当該ユーザーのステータス情報を取得する際に、当該ユーザーのユーザーデータに基づき当該ユーザーの年齢（年齢層）を判定し、当該年齢（年齢層）について用意されたテーブルを記憶部１３０から読み出し、ステータス情報の取得に用いる。
【０１６４】
従って、処理部１２０は、年齢の異なる様々なユーザーの各々にとって適切なステータス情報を取得することができる。
【０１６５】
１−３−２−４−１．成人用テーブル
成人用テーブル（図１２）は、成人ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１６６】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１６７】
従って、成人ユーザーが緩やかな坂道を低速で上昇しているときよりも、成人ユーザーが急峻な坂道を高速で上昇しているときの方が、高い危険度のステータス情報「危険」が出力される可能性は高まる。また、成人ユーザーのＳｐＯ２低下速度が緩やかであるときよりも、成人ユーザーのＳｐＯ２低下速度が急峻であるときの方が、高い危険度のステータス情報「危険」が出力される可能性は高まる。
【０１６８】
なお、テーブルの分割数、テーブルの分割パターン（ステータス情報の区分け）、ステータス情報の数などは、図１２に示したものに限定されることはない。
【０１６９】
また、このテーブルは、成人ユーザーに対して出力されるステータス情報が常に適正となるように設定されている。そのために、このテーブルは、成人ユーザーに関する統計情報などに基づき設計されることが望ましい。
【０１７０】
また、成人ユーザーとは、例えば１６歳から６０歳までの年齢層のユーザーのことである（ここでいう「成人」は、法律的な成人のことを指しているのではなく、身体的な成人のことを指している。）。なお、成人ユーザーの年齢層は、これに限定されることはない
。
【０１７１】
１−３−２−４−２．子供用テーブル
子供用テーブル（図１３）は、子供ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１７２】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１７３】
従って、子供ユーザーが緩やかな坂道を低速で上昇しているときよりも、子供ユーザーが急峻な坂道を高速で上昇しているときの方が、高い危険度のステータス情報「危険」が出力される可能性は高まる。また、子供ユーザーのＳｐＯ２低下速度が緩やかであるときよりも、子供ユーザーのＳｐＯ２低下速度が急峻であるときの方が、高い危険度のステータス情報「危険」が出力される可能性は高まる。
【０１７４】
なお、テーブルの分割数、テーブルの分割パターン（ステータス情報の区分け）、ステータス情報の数などは、図１３に示したものに限定されることはない。
【０１７５】
また、このテーブルは、子供ユーザーに対して出力されるステータス情報が常に適正となるように設定されている。そのために、このテーブルは、子供ユーザーに関する統計情報などに基づき設計されることが望ましい。
【０１７６】
また、子供ユーザーとは、成人ユーザーより年齢の低いユーザーのことである（ここでいう「子供」は、法律的な子供のことを指しているのではなく、身体的な子供のことを指している。）。なお、子供ユーザーの年齢層は、これに限定されることはない。
【０１７７】
１−３−２−４−３．老人用テーブル
老人用テーブル（図１４）は、老人ユーザーの昇高速度及びＳｐＯ２低下速度の組み合わせ毎にステータス情報を格納したテーブルである。このテーブルでは、昇高速度が高いほど高い危険度を示すステータス情報が対応付けられており、ＳｐＯ２低下速度が高いほど高い危険度を示すステータス情報が対応付けられている。
【０１７８】
つまり、最高の昇高速度及び最高のＳｐＯ２の組み合わせには最高の危険度を示すステータス情報「危険」が対応付けられ、最低の昇高速度及び最低のＳｐＯ２の組み合わせには最低の危険度を示すステータス情報「正常」が対応付けられている。
【０１７９】
従って、老人ユーザーが緩やかな坂道を低速で上昇しているときよりも、老人ユーザーが急峻な坂道を高速で上昇しているときの方が、高い危険度のステータス情報「危険」が出力される可能性は高まる。また、老人ユーザーのＳｐＯ２低下速度が緩やかであるときよりも、老人ユーザーのＳｐＯ２低下速度が急峻であるときの方が、高い危険度のステータス情報「危険」が出力される可能性は高まる。
【０１８０】
なお、テーブルの分割数、テーブルの分割パターン（ステータス情報の区分け）、ステータス情報の数などは、図１４に示したものに限定されることはない。
【０１８１】
また、このテーブルは、老人ユーザーに対して出力されるステータス情報が常に適正となるように設定されている。そのために、このテーブルは、老人ユーザーに関する統計情
報などに基づき設計されることが望ましい。
【０１８２】
また、老人ユーザーとは、成人ユーザーより年齢の高いユーザーのことである。なお、老人ユーザーの年齢層は、これに限定されることはない。
【０１８３】
１−３−２−５．各種のテーブル
ここでは、記憶部１３０に格納されるテーブルとして、レベル別のテーブル、男女別のテーブル、年齢別のテーブルの３種類を例に挙げたが、レベル別かつ男女別のテーブルや、レベル別かつ年齢別のテールブルや、男女別かつ年齢別のテーブルを、記憶部１３０に格納しておくことも可能である。また、レベル別、男女別、かつ年齢別のテーブルを記憶部１３０に格納しておくことも可能である。つまり、本システムでは、ユーザーを属性によって細分化し、細分化されたグループごとにテーブルを用意することも可能である。
【０１８４】
１−３−２−６．テーブルのカスタマイズ
また、例えば、上述したテーブル（図７乃至図１４）のうち少なくとも１つ（既存のテーブル）は、ユーザーの平常時における昇高速度とＳｐＯ２低下速度との関係に応じて設定（調整）されてもよい。この場合、処理部１２０は、個々のユーザー間のばらつきに対応することができる。平常時とは、例えば、ユーザーの身体が正常な状態（健康状態）を維持しつつ運動をした過去の期間のことである。
【０１８５】
ここでは、ユーザーが行った過去の運動（ここでは登山）に係る様々な計測データが電子機器１の記憶部１３０に格納されており、これらの計測データは日付ごとに管理されている場合を想定する。登山を行うユーザーであれば、本実施形態に係る電子機器１を継続的に利用することで、複数回にわたる登山時の計測データを蓄積することができるからである（過去の履歴）。本システムでは、この過去の履歴に基づいてテーブルを設定（調整）することで、ユーザーにより適したステータス情報を生成することが可能である。
【０１８６】
例えば、ユーザーは、平常時の計測データを特定するのに必要な情報（例えば日付）を、操作部１５０を介して電子機器１へ入力する。当該日付は、ユーザーが安全かつ快適に登山できた日付のことである。
【０１８７】
処理部１２０は、当該情報に基づき記憶部１３０の計測データの中から平常時の計測データを特定し、当該平常時の計測データに含まれる各時刻の高度及びＳｐＯ２を参照し、各時刻における昇高速度及びＳｐＯ２低下速度の組み合わせを算出する。
【０１８８】
そして、処理部１２０は、算出した組み合わせを昇高速度−低下速度のグラフへプロットし、プロットした点にフィットする曲線（又は直線）を算出する。更に、処理部１２０は、当該曲線と標準的な曲線（又は直線）とのずれに応じて、既存のテーブルの分割パターン（ステータス情報の区分け）を調整し、調整後のテーブルを当該ユーザーに専用のテーブル（カスタマイズされたテーブル）として記憶部１３０へ格納する。以後、当該ユーザーのステータス情報を算出する際には、当該カスタマイズされたテーブルが用いられる。
【０１８９】
１−３−３．各種の表示画面の概要
電子機器１の表示部１７０は、ユーザーの昇高速度と、ユーザーのＳｐＯ２低下速度と、に基づいて、例えば図１５乃至図１９に示すとおり、ユーザーの身体の状態を示すステータス情報（「正常」、「やや危険」、「危険」の別）を、ユーザーのＳｐＯ２（「８７％」という文字イメージ）と共に表示する。表示するタイミングは、例えば、ユーザーが運動（登山）を行っている期間中の各時点、或いは、ユーザーが運動（登山）を行っている期間中にユーザーが要求したタイミングなどである。従って、ユーザーは、当該ユーザ
ーの身体のステータス情報と共に、当該ユーザーのＳｐＯ２を確認することができる。
【０１９０】
また、電子機器１の表示部１７０は、例えば図１５乃至図１９に示すとおり、ＳｐＯ２の推移と共にステータス情報（「正常」、「やや危険」、「危険」の別）の推移を出力してもよい。図１５乃至図１９において、右肩下がりの曲線又は右肩下がりに並ぶブロック列がＳｐＯ２の推移である。この場合、ユーザーは、ステータス情報の推移と共にＳｐＯ２の推移を確認することができる。例えば、電子機器１の表示部１７０は、図１５乃至図１９に示すとおり、ＳｐＯ２の推移をグラフとして表示する。この場合、ユーザーは、ステータス情報の推移と共にＳｐＯ２の推移を視覚によって確認することができる。
【０１９１】
また、電子機器１の表示部１７０は、例えば図１５乃至図１９に示すとおり、ステータス情報の推移をグラフの色及び模様の少なくとも何れかで表してもよい。この場合、ユーザーは、色及び模様の少なくとも何れかによってステータス情報の推移を直感的に把握することができる。
【０１９２】
また、電子機器１の表示部１７０は、例えば図１５乃至図１９に示すとおり、標高の推移のグラフ及び気圧の推移のグラフのうち少なくとも何れかをＳｐＯ２の推移のグラフと共に表示してもよい。従って、ユーザーは、標高の推移のグラフ及び気圧の推移のグラフのうち少なくとも何れかをＳｐＯ２の推移のグラフと共に確認することができる。
【０１９３】
１−３−３−１．図１５の表示画面
例えば、電子機器１の表示部１７０は、図１５に示すようなグラフを表示する。
【０１９４】
図１５のグラフの横軸は、時間軸であり、縦軸は、標高軸又はＳｐＯ２軸である。
【０１９５】
図１５において、標高の推移は、曲線で表されており、ＳｐＯ２の推移は、ブロック列で表されており、各時刻におけるブロックには、当該時刻におけるステータス情報に応じた色彩又は模様が付されている。色彩には、色相、彩度、若しくは輝度（階調）又はこれらの組み合わせが含まれる。
【０１９６】
よって、ユーザーは、各時刻におけるブロックの位置から、当該時刻のＳｐＯ２の値を把握することができ、各時刻におけるブロックの色彩又は模様から、当該時刻におけるステータス情報（「危険」、「やや危険」、「正常」の別）を把握することができる。
【０１９７】
なお、図１５のグラフ内に配置された「８７％」という文字イメージは、ユーザーの現時点におけるＳｐＯ２の値を示している。また、図１５では、「正常」、「やや危険」、「危険」という文字イメージが表示されているが、「正常」、「やや危険」、「危険」の別は、ブロックの色彩又は模様によって表されているので、これらの文字イメージの表示は省略可能である。また、図１５における情報の一部をユーザーの要求に応じて非表示とすることも可能である。
【０１９８】
１−３−３−２．図１６の表示画面
例えば、電子機器１の表示部１７０は、図１６に示すようなグラフを表示する。
【０１９９】
図１６のグラフの横軸は、時間軸であり、縦軸は、標高軸又はＳｐＯ２軸である。
【０２００】
図１６において、標高の推移は、曲線で表されており、ＳｐＯ２の推移も、曲線で表されており、グラフを時間方向に区切ってできる各エリア（時間帯）には、当該時間帯におけるステータス情報（「危険」、「やや危険」、「正常」の別）に応じた色彩又は模様が付されている。色彩には、色相、彩度、若しくは輝度（階調）又はこれらの組み合わせが
含まれる。
【０２０１】
よって、ユーザーは、ＳｐＯ２の曲線から、各時刻におけるＳｐＯ２の値を把握することができ、各エリア（時間帯）の色彩又は模様から、当該時間帯のステータス情報（「危険」、「やや危険」、「正常」の別）を把握することができる。
【０２０２】
なお、図１６のグラフ内に配置された「８７％」という文字イメージは、ユーザーの現時点におけるＳｐＯ２の値を示している。また、図１６では、「正常」、「やや危険」、「危険」という文字イメージが表示されているが、「正常」、「やや危険」、「危険」の別は、エリア（時間帯）の色彩又は模様によって表されているので、これらの文字イメージの表示は省略可能である。また、図１６における情報の一部をユーザーの要求に応じて非表示とすることも可能である。
【０２０３】
１−３−３−３．図１７の表示画面
例えば、電子機器１の表示部１７０は、図１７に示すようなグラフを表示する。
【０２０４】
図１７のグラフの横軸は、時間軸であり、縦軸は、標高軸又はＳｐＯ２軸である。
【０２０５】
図１７において、標高の推移は、ブロック列で表されており、ＳｐＯ２の推移は、棒グラフで表されており、各時刻における棒グラフには、当該時間帯におけるステータス情報（「危険」、「やや危険」、「正常」の別）に応じた色彩又は模様が付されている。色彩には、色相、彩度、若しくは輝度（階調）又はこれらの組み合わせが含まれる。なお、図１７に示す棒グラフは、紙面の向かって上端側から下端側に延びるブロックで表されており、各ブロックの長さは、ＳｐＯ２の１００％からの低下量を表している。
【０２０６】
よって、ユーザーは、ＳｐＯ２の棒グラフの長さから、各時刻におけるＳｐＯ２の値を把握することができ、各時刻における棒グラフの色彩又は模様から、当該時刻におけるステータス情報（「危険」、「やや危険」、「正常」の別）を把握することができる。図１７の例では、「危険」に対応する棒グラフのブロックを白色で表示し、「やや危険」又は「正常」に対応する防グラフのブロックを黒色で表示した。
【０２０７】
なお、図１７のグラフ内に配置された「８７％」という文字イメージは、ユーザーの現時点におけるＳｐＯ２の値を示している。また、図１７における情報の一部をユーザーの要求に応じて非表示とすることも可能である。
【０２０８】
１−３−３−４．図１８の表示画面
例えば、電子機器１の表示部１７０は、図１８に示すようなグラフを表示する。
【０２０９】
図１８のグラフの横軸は、時間軸であり、縦軸は、気圧軸又はＳｐＯ２軸である。
【０２１０】
図１８において、気圧の推移は、曲線で表されており、ＳｐＯ２の推移も、曲線で表されており、グラフを時間方向に区切ってできる各エリア（時間帯）には、当該時間帯におけるステータス情報（「危険」、「やや危険」、「正常」の別）に応じた色彩又は模様が付されている。色彩には、色相、彩度、若しくは輝度（階調）又はこれらの組み合わせが含まれる。
【０２１１】
よって、ユーザーは、ＳｐＯ２の曲線から、各時刻におけるＳｐＯ２の値を把握することができ、各エリア（時間帯）の色彩又は模様から、当該時間帯のステータス情報（「危険」、「やや危険」、「正常」の別）を把握することができる。
【０２１２】
なお、図１８のグラフ内に配置された「８７％」という文字イメージは、ユーザーの現時点におけるＳｐＯ２の値を示している。また、図１８では、「正常」、「やや危険」、「危険」という文字イメージが表示されているが、「正常」、「やや危険」、「危険」の別は、エリア（時間帯）の色彩又は模様によって表されているので、これらの文字イメージの表示は省略可能である。また、図１８における情報の一部をユーザーの要求に応じて非表示とすることも可能である。
【０２１３】
１−３−３−５．図１９の表示画面
例えば、電子機器１の表示部１７０は、図１９に示すようなグラフを表示する。
【０２１４】
図１９のグラフの横軸は、時間軸であり、縦軸は、気圧軸又はＳｐＯ２軸である。
【０２１５】
図１９において、気圧の推移は、ブロック列で表されており、ＳｐＯ２の推移は、棒グラフで表されており、各時刻における棒グラフには、当該時間帯におけるステータス情報（「危険」、「やや危険」、「正常」の別）に応じた色彩又は模様が付されている。色彩には、色相、彩度、若しくは輝度（階調）又はこれらの組み合わせが含まれる。なお、図１９に示す棒グラフは、紙面の向かって上端側から下端側に延びるブロックで表されており、各ブロックの長さは、ＳｐＯ２の１００％からの低下量を表している。
【０２１６】
よって、ユーザーは、ＳｐＯ２の棒グラフの長さから、各時刻におけるＳｐＯ２の値を把握することができ、各時刻における棒グラフの色彩又は模様から、当該時刻におけるステータス情報（「危険」、「やや危険」、「正常」の別）を把握することができる。図１９の例では、「危険」に対応する棒グラフのブロックを白色で表示し、「やや危険」又は「正常」に対応する防グラフのブロックを黒色で表示した。
【０２１７】
なお、図１９のグラフ内に配置された「８７％」という文字イメージは、ユーザーの現時点におけるＳｐＯ２の値を示している。また、図１９における情報の一部をユーザーの要求に応じて非表示とすることも可能である。
【０２１８】
１−３−４．フロー
次に、或るユーザーによって装着された電子機器１が運動中（ここでは登山中とする。）のユーザーへステータス情報（「危険」、「やや危険」、「正常」の別）に応じた警告を画像や音によって行う場合のフローを説明する。
【０２１９】
図２０は、電子機器１の処理部１２０による処理のフローチャートの一例である。なお、このフローチャートは、ユーザーが登山をしている期間中に、電子機器１の処理部１２０によって繰り返し実行される。実行の頻度は、例えば１／６０秒ごとなどの所定頻度である。
【０２２０】
フローが開始されると、処理部１２０は、センサー（例えば、ＳｐＯ２センサー１１７、ＧＰＳセンサー１１０、気圧センサー１１２など）が出力するデータに基づき、ＳｐＯ２低下速度及び昇高速度を計算し、計算したＳｐＯ２低下速度及び昇高速度の組み合わせに応じて記憶部１３０に格納されたテーブルを参照し、当該組み合わせに対応付けられたステータス情報を特定する（Ｓ１０１）。
【０２２１】
なお、ステップＳ１０１における処理部１２０は、ＳｐＯ２低下速度及び昇高速度を計算するために、現時点におけるセンサー（例えば、ＳｐＯ２センサー１１７、ＧＰＳセンサー１１０、気圧センサー１１２など）の出力の単位時間当たりの変化量を参照する。そのために、処理部１２０は、センサー（例えば、ＳｐＯ２センサー１１７、ＧＰＳセンサー１１０、気圧センサー１１２など）が出力するデータの前回値（又は履歴）を用いても
よい。また、ステップＳ１０１において処理部１２０が参照するテーブルは、当該ユーザーのユーザーデータ（ユーザーのレベル、性別、年齢など）に合致したテーブル又は当該ユーザー用に予めカスタマイズされたテーブル（調整後のテーブル）である。
【０２２２】
次に、処理部１２０は、特定したステータス情報が「正常」に該当するか否かを判定し（Ｓ１０２）、「正常」に該当する場合（Ｓ１０２Ｙ）にはフローを終了し、そうでない場合（Ｓ１０２Ｎ）には、次の判定ステップ（Ｓ１０３）へ移行する。なお、ステータス情報が「正常」に該当する場合には、前述した何れかのグラフの表示（通常表示）が継続され、振動や音声などによる警告は行われない。
【０２２３】
次に、処理部１２０は、ステータス情報が「危険」に該当するか否かを判定し（Ｓ１０３）、「危険」に該当する場合（Ｓ１０３Ｙ）には警告の処理（Ｓ１０９）へ移行し、そうでない場合（Ｓ１０３Ｎ）には、注意喚起の処理（Ｓ１０４）へ移行する。
【０２２４】
次に、処理部１２０は、注意喚起画面を表示部１７０へ表示させる（Ｓ１０４）。注意喚起画面は、例えば、前述した何れかのグラフにおいて注意喚起用の強調処理を施したものである。強調処理は、画面全体の色彩の強調によって行うことも可能であるし、画面全体の時間変化（点滅表示など）によって行うことも可能であるし、画面の一部へ注意喚起用のイメージ（文字イメージ、マーク、アイコンなど）を付与することによって行うことも可能である。なお、色彩には、色相、彩度、若しくは輝度（階調）又はこれらの組み合わせが含まれる。
【０２２５】
次に、処理部１２０は、振動出力（振動アラーム）が予めユーザーによって許可（オン）されているか否かを判定する（Ｓ１０５）。なお、振動アラームが許可されているか否かを示す情報は、記憶部１３０に格納されているものとする。処理部１２０は、記憶部１３０を参照して許可されていることを認識すると（Ｓ１０５Ｙ）、次の処理（Ｓ１０６）へ移行し、そうでない場合（Ｓ１０５Ｎ）に、次の処理（Ｓ１０６）をスキップする。
【０２２６】
次に、処理部１２０は、音出力部１８０に対して注意喚起用の振動を出力させる（Ｓ１０６）。
【０２２７】
次に、処理部１２０は、音声出力（音声アラーム）が予めユーザーによって許可（オン）されているか否かを判定する（Ｓ１０７）。なお、音声アラームが許可されているか否かを示す情報は、記憶部１３０に格納されているものとする。処理部１２０は、記憶部１３０を参照して許可されていることを認識すると（Ｓ１０７Ｙ）、次の処理（Ｓ１０８）へ移行し、そうでない場合（Ｓ１０７Ｎ）に、次の処理（Ｓ１０８）をスキップし、フローを終了する。
【０２２８】
次に、処理部１２０は、音出力部１８０に対して注意喚起用の音声を出力させ（Ｓ１０８）、フローを終了する。
【０２２９】
一方、処理部１２０は、ステップＳ１０３においてステータス情報が「危険」に該当する場合（Ｓ１０３Ｙ）に、警告画面を表示部１７０へ表示させる（Ｓ１０９）。警告画面は、例えば、前述した何れかのグラフにおいて警告用の強調処理を施したものである。
【０２３０】
次に、処理部１２０は、振動出力（振動アラーム）が予めユーザーによって許可（オン）されているか否かを判定する（Ｓ１１０）。なお、振動アラームが許可されているか否かを示す情報は、記憶部１３０に格納されているものとする。処理部１２０は、記憶部１３０を参照して許可されていることを認識すると（Ｓ１１０Ｙ）、次の処理（Ｓ１１１）へ移行し、そうでない場合（Ｓ１１０Ｎ）に、次の処理（Ｓ１１１）をスキップする。
【０２３１】
次に、処理部１２０は、処理部１２０は、音出力部１８０に対して警告用の振動を出力させる（Ｓ１１１）。
【０２３２】
次に、処理部１２０は、音声出力（音声アラーム）が予めユーザーによって許可（オン）されているか否かを判定する（Ｓ１１２）。なお、音声アラームが許可されているか否かを示す情報は、記憶部１３０に格納されているものとする。処理部１２０は、記憶部１３０を参照して許可されていることを認識すると（Ｓ１１２Ｙ）、次の処理（Ｓ１１３）へ移行し、そうでない場合（Ｓ１１２Ｎ）に、次の処理（Ｓ１１３）をスキップし、フローを終了する。
【０２３３】
次に、処理部１２０は、音出力部１８０に対して警告用の音声を出力させ（Ｓ１１３）、フローを終了する。
【０２３４】
なお、以上のフローにおいて一部のステップの実行の順序は可能な範囲内で入れ替えることが可能である。また、以上のフローの一部のステップを省略することも可能である。
【０２３５】
１−３−５．アドバイス
本実施形態の電子機器１において、ユーザーへ出力されるステータス情報は、ユーザーへのアドバイスを含んでもよい。例えば「正常」のステータス情報は、「現在のペースで運動を継続してください」などのペース維持（負荷維持）に係るアドバイスを含んでもよく、「やや危険」のステータス情報は、「ペースダウンしてください」などのペースダウン（負荷軽減）に係るアドバイスを含んでもよく、「危険」のステータス情報は、「直ちに運動を中止してください」などの運動中止（負荷排除）に係るアドバイスを含んでもよい。この場合、ユーザーは、自分のステータス情報を自分へのアドバイスとして確認することができる。
【０２３６】
また、本実施形態の電子機器１において、アドバイスは、休憩の必要性に係るアドバイス及び医師の診断の必要性に係るアドバイスのうち少なくとも何れかを含んでもよい。例えば、「危険」のステータス情報は、「医師の診断を受けてください」というアドバイスを含んでもよい。従って、ユーザーの身体のステータス情報（「危険」、「やや危険」、「正常」の別）に応じた正しいタイミングで医師の診断をユーザーに勧めることができる。
【０２３７】
１−３−６．ナビゲーション
本実施形態の電子機器１において、ステータス情報は、休憩が可能な地点に係る情報及び医師の診断が可能な地点に係る情報のうち少なくとも何れかを含んでもよい。この場合、ユーザーの身体のステータス情報（「危険」、「やや危険」、「正常」の別）に応じた正しいタイミングでユーザーに休憩が可能な地点及び医師の診断を受けられる地点のうち少なくとも何れかを通知することができる。
【０２３８】
例えば、電子機器１の処理部１２０は、ステータス情報が「危険」であると判定した場合には、公知のナビゲーション機能を電子機器１に発現させ、ユーザーの現在地点の属するエリア内の病院や診療所などの医療機関を検索し、現在地点に最も近い医療機関に向かってユーザーを誘導（ナビゲーション）してもよい。ナビゲーションは、画像、音、もしくは光、又はこれらの組み合わせによって行うことができる。
【０２３９】
１−３−７．通知態様のバリエーション
本実施形態の電子機器１において、ステータス情報は、ユーザーが聴覚、視覚、及び触覚のうち少なくとも何れかにより認識可能な情報であってもよい。この場合、ユーザーの
聴覚、視覚、及び触覚のうち少なくとも何れかを介してステータス情報をユーザーに認識させることができる。
【０２４０】
また、本実施形態の電子機器１において、ステータス情報は、ユーザーが視覚により認識可能な色、文字、記号、目盛り、及び模様のうち少なくとも何れかを用いて表されてもよい。この場合、色、文字、記号、目盛り、及び模様のうち少なくとも何れかを用いてステータス情報をユーザーに認識させることができる。
【０２４１】
１−３−８．出力先バリエーション
本実施形態のシステムは、ユーザーが携帯可能な携帯型の電子機器１と、ユーザーとは別のユーザーが携帯可能な別の携帯型の電子機器（例えば電子機器１と同じ構成の電子機器である。不図示。）とを含んでもよい。そして、当該ユーザーのステータス情報の出力先の少なくとも１つは、別のユーザーの携帯型の電子機器であってもよい。この場合、当該ユーザーのステータス情報を別のユーザーが把握することができるので、例えば、当該ユーザーが意識を失っている場合に別のユーザーがそれに気づいて迅速な対応をすることが可能である。また、ここでいう「別のユーザー」は、当該ユーザーと同じ登山パーティーに属した同行ユーザーであってもよいし、当該ユーザーの近くに存在する他のユーザーであってもよい。
【０２４２】
２．実施形態の作用効果
以上説明したとおり、本実施形態に係る電子機器１は、ユーザーの昇高速度と、ユーザーのＳｐＯ２低下速度と、に基づいて、ユーザーの身体の状態を示すステータス情報（「危険」、「やや危険」、「正常」の別）を出力する。このステータス情報は、ユーザーの昇高速度とＳｐＯ２低下速度との双方に基づくので、ユーザーの身体の状態、例えば、このまま運動を続けた場合のユーザーの身体の状態を、正確に反映（予測）すると考えられる。よって、ユーザーは、自分が行っている運動の内容を見直すべきか否かを判断する際の目安としてステータス情報を用いることが可能である。
【０２４３】
また、本実施形態に係る電子機器１は、心拍、体動、位置情報を観測し、時間情報を紐付け記憶・解析・表示及び他機器と通信し、観測・解析・表示項目に血中酸素量を含むので、例えば、ユーザーが登山中に高山病に至る過程や、指標や警告により発症を把握でき、重症に陥るという自体を防ぐことも可能である。
【０２４４】
また、本実施形態に係る電子機器１は、気圧センサーやＧＰＳセンサー有しており、高度と血中酸素濃度データの紐付けができるため、登山時における昇速度と血中酸素量の変化量を解析でき、高山病に至る予測や警告を使用者に提供できる。
【０２４５】
登山等の高所での活動では、低酸素状態となることで高山病症状（高度障害）を発症する場合があり、具体的には、頭痛や吐き気、睡眠障害等の症状が考えられ、場合によっては脳浮腫や肺水腫のように重篤な症状を引き起こすこともあるが、これらの危険を事前に回避することが可能である。
【０２４６】
３．変形例
３−１．テーブルの内容
上述したテーブル及びアドバイスのうち少なくとも何れかは、システムの管理者、電子機器１のメーカー、システムの監修者などが医学的な情報に基づいて作成してもよい。
【０２４７】
上述したテーブルでは、ユーザーのステータス情報（アドバイス）を「正常」（ペース維持）、「やや危険」（ペースダウン）、「危険」（中止）の３段階に設定したが、段階数を増減させてもよい。例えば、ステータス情報（アドバイス）を、（ｉ）「負荷不足」
（ペースアップ）、（ｉｉ）「正常」（ペース維持）、（ｉｉｉ）「やや危険」（ペースダウン）、（ｉｖ）「危険」（休憩）、（ｖ）「非常に危険」（下山又は救助要請）の５段階としてもよい。
【０２４８】
３−２．他の指標との組み合わせ
上述したシステムでは、更に、ユーザーのＳｐＯ２の値自体を監視し、当該値が予め決められた閾値を下回った場合には、前述したステータス情報にかかわらず運動を即座に停止したり救助要請したりするようユーザーへ警告（強い警告）を行ってもよい。
【０２４９】
また、上述したシステムでは、前述したテーブルを気圧（酸素分圧）毎に用意し、気圧に応じてテーブルを使い分けてもよい。
【０２５０】
また、上述したシステムでは、前述したテーブルを天気毎に用意し、天気に応じてテーブルを使い分けてもよい。
【０２５１】
また、上述したシステムでは、前述したテーブルを脈拍数毎に用意し、ユーザーの脈拍数に応じてテーブルを使い分けてもよい。
【０２５２】
また、上述したシステムでは、前述したテーブルを体温毎に用意し、ユーザーの体温に応じてテーブルを使い分けてもよい。
【０２５３】
その他、テーブルの設定に、ＳｐＯ２低下速度及び昇高速度の履歴情報（過去の計測データ）を用いてもよい。また、その他の計測データに基づくことで、より多様な処理が可能になる。例えば、履歴情報には環境情報が含まれる。その場合、記憶部は、ＳｐＯ２低下速度及び昇高速度に環境情報が関連付けられた情報を履歴情報として記憶し、処理部１２０は、環境情報が関連付けられたＳｐＯ２低下速度及び昇高速度に基づいて、報知情報を生成してもよい。
【０２５４】
例えば、履歴情報としてＳｐＯ２の値と、当該値が取得された際の標高と、を対応付けて記憶する。このようにすれば、このユーザーは標高がＸ（ｍ）程度であれば、ＳｐＯ２の値はＹ（％）程度となっていた、といった対象ユーザーの特性を記憶しておくことができる。そのため、最新の登山において標高Ｘ（ｍ）地点に到達した際のＳｐＯ２の値Ｙ’（％）と、履歴情報として記憶されている対象ユーザーの過去の実績値Ｙとの比較により、ユーザーの体調を推定できる。
【０２５５】
例えばＹ’≧Ｙであれば、現在の登山でも過去実績と同等以上のＳｐＯ２を保持できており、体調に問題はないと考えられる。一方、Ｙ’＜Ｙであれば、現在の登山では過去の登山に比べてＳｐＯ２の減少度合いが激しく、体調が悪い傾向にあると判定できる。また、Ｙ’とＹとの乖離度合いに応じて、どの程度体調が悪いかを推定することも可能である。処理部１２０は、体調が悪い傾向にあれば、早めのペースダウン、休憩、安静を促すような報知情報を生成する。
【０２５６】
また、ＳｐＯ２に対応付けられる情報は標高以外の環境情報であってもよいし、環境情報以外の情報であってもよい。例えば履歴情報は、ＳｐＯ２と環境情報とユーザーの生体情報とが関連付けられた情報であってもよい。その場合、記憶部１３０は、ＳｐＯ２に環境情報及びユーザーの生体情報が関連付けられた情報を履歴情報として記憶し、処理部１２０は、環境情報及びユーザーの生体情報が関連付けられたＳｐＯ２に基づいて、報知情報を生成してもよい。
【０２５７】
例えば、履歴情報としてＳｐＯ２の値と、当該値が取得された際の標高及び脈拍数を対
応付けて記憶する。このようにすれば、このユーザーは標高がＸ（ｍ）程度であれば、ＳｐＯ２の値はＹ（％）程度であり、脈拍数はＺ（拍／分）程度となっていた、といった対象ユーザーの特性を記憶しておくことができる。よって上述のＹ’とＹの比較だけでなく、脈拍数の履歴であるＺも用いて、処理部１２０はユーザーの体調が悪い傾向にあるか否かを判定できる。処理部１２０は、判定結果に基づいて報知情報の内容や、報知タイミングを変更すればよい。
【０２５８】
例えば、履歴情報であるＸ，Ｙ，Ｚ、及び現在のＳｐＯ２の値Ｙ’，脈拍数Ｚ’をパラメーター（変数）とする評価関数Ｅ（Ｘ，Ｙ，Ｚ，Ｙ’，Ｚ’）を設定しておき、当該評価関数の値の大小に基づいてユーザーの体調を推定してもよい。その他、履歴情報に基づく処理部１２０での処理については種々の変形実施が可能である。
【０２５９】
また、実際の体調の良し悪しは、ユーザーの主観に関わる部分もある。よって登山中に頭痛などの高山病症状を感じた場合に、ユーザーは電子機器１に対して入力を行ってもよい。電子機器１の記憶部１３０は、入力が行われたタイミングで、ユーザーは体調不良を感じていたことを記憶し、それ以降の報知情報の生成においては、記憶された情報を用いて処理を行う。
【０２６０】
例えば、標高がＸ、ＳｐＯ２の値がＹ、脈拍数がＺの場合に、ユーザーから入力があったということを記憶部が記憶していたとする。この場合、（Ｘ，Ｙ，Ｚ）という値の組は、対象ユーザーにとって標準的な値ではなく、体調不良を感じる程度に危険な状態を表す値となる。よって、これ以降のタイミングにおいて、同様の傾向が見られた場合には、ユーザーの体調は悪い傾向にあると判定し、早めに休息を取らせるような報知情報を生成する。
【０２６１】
上述したようにユーザーが体調不良を自覚するケースとは、ある程度長い時間、低酸素状態となっていた場合に相当する。重篤な症状を予防する観点からも、電子機器１では、記憶されている（Ｘ，Ｙ，Ｚ）という危険な値に近くなる前に、アラート情報やアドバイス情報をユーザーに報知しておくことが望ましい。例えば単純には、ユーザーは標高Ｘ（ｍ）付近で体調不良を感じたという履歴情報に基づいて、処理部１２０は、最新の登山での標高がＸ（ｍ）となる前のタイミングでアラート情報を生成、出力するといった処理を行ってもよい。同様に、処理部１２０はＳｐＯ２がＹ付近まで低下する前、脈拍数がＺ付近まで変化する前に、アラート情報を生成、出力してもよい。
【０２６２】
例えば、所与のタイミングｔｉ（ｉ＝０，１，・・・・）で取得されたＳｐＯ２の値、標高、脈拍数、ユーザーからの入力の有無を表す情報（０＝入力無し、１＝入力有り）が記憶されている。例えば１行目の例であれば、タイミングｔ０において、ＳｐＯ２＝９５．５、標高＝１００、脈拍数＝８５、ユーザー入力＝０という値が取得され、それらが対応付けて記憶されている。
【０２６３】
なお、ＳｐＯ２、標高、脈拍数等の各情報の取得タイミング（取得レート、算出レート）は一致するとは限らない。よって、記憶部が記憶する履歴情報は、ＳｐＯ２と、環境情報、生体情報が必ずそれぞれ１つずつ関連付けられるものには限定されない。例えば、所与のＳｐＯ２の値に対して、脈拍数は関連付けられているが標高は関連付けられていないといった場合があってもよい。また、関連付けられるデータは取得タイミングが一致するものには限定されず、取得タイミングが近いデータを関連づけてもよい。例えば、時刻Ｔ１で取得されたＳｐＯ２と、時刻Ｔ２で取得された標高とがあった場合に、｜Ｔ１−Ｔ２｜≦δ（δは所与の閾値）等の条件を満たす場合に、それら２つのデータを関連づけて履歴情報として記憶してもよい。
【０２６４】
また、本システムでは、ステータス情報を生成する際に、テーブルを利用することで演算量を軽減したが、テーブルを利用する代わりに計算式を利用してもよいことは言うまでもない。計算式は、例えば、ＳｐＯ２低下速度と昇高速度との組み合わせから危険度を表す指標を算出する式である。処理部１２０は、計算式により指標を算出し、指標の属する範囲に応じてステータス情報を生成すればよい。
【０２６５】
３−３．計測データのアップロード
本実施形態のシステムでは、電子機器１の処理部１２０は、上述した計測中により生成された各種のデータを、計測の日時を示す日時データと共に、計測データとして所定のフォーマットで記憶部１３０に保存する。記憶部１３０に格納された１又は複数の計測データは、必要に応じて情報端末２へ送信され、情報端末２の記憶部２４へ格納される。また、情報端末２の記憶部２４へ格納された計測データは、必要に応じてサーバー４へアップロードされる。サーバー４へアップロードされた計測データは、サーバー４の記憶部４４に格納される。また、サーバー４の記憶部４４に格納された様々なユーザーの様々な日時の計測データは、サーバー４の処理部４１によって、ユーザーごと、また、日時ごとに管理される。また、電子機器１と情報端末２との間の通信は、電子機器１の通信部１９０及び情報端末２の通信部２２を介して行われ、情報端末２とサーバー４との間の通信は、情報端末２の通信部２７、ネットワーク３、及びサーバー４の通信部４２を介して行われる。
【０２６６】
３−４．システム構成のバリエーション
上述した実施形態のシステムは、ユーザーの身体に装着可能なセンサーを有した携帯機器を備えていれば、電子機器１、センサーデバイス１Ｃ、情報端末２、サーバー４の何れかを省略することも可能である。
【０２６７】
また、システムにおける機能分担は、上述したものに限定されることはない。例えば、センサーデバイス１Ｃの機能の一部又は全部は、電子機器１に搭載されてもよいし、情報端末２に搭載されてもよい。また、電子機器１の機能の一部又は全部は、センサーデバイス１Ｃに搭載されてもよいし、情報端末２に搭載されてもよい。また、情報端末２の機能の一部又は全部は、センサーデバイス１Ｃに搭載されてもよいし、電子機器１に搭載されてもよい。また、情報端末２の機能の一部は、サーバー４に搭載されてもよいし、サーバー４の機能の一部は、情報端末２に搭載されてもよい。例えば、センサーによって生成した計測データを電子機器１が逐次にサーバー４へアップロードし、必要な情報をサーバー４が逐次に算出して電子機器１へ逐次に送信してもよい。
【０２６８】
３−５．センサーのバリエーション
上記の実施形態のセンサーデバイス１Ｃ又は電子機器１は、センサーとして、以下の各種のセンサーのうち少なくとも１つを用いることができる。すなわち、加速度センサー、ＧＰＳ（ＧＮＳＳ）センサー、角速度センサー、速度センサー、心拍センサー（胸ベルトなど）、脈拍センサー（心臓以外の場所で測るセンサー）、歩数計、圧力センサー、高度センサー、温度センサー（気温センサー、体温センサー）、地磁気センサー、体重計（システムの外部装置として用いる）、紫外線センサー、発汗量センサー、血圧センサー、動脈血酸素飽和度（ＳｐＯ２）センサー、乳酸センサー、血糖値センサー、風速センサーなどである。また、各実施例において計測に用いられないセンサーは機器に搭載されていなくても構わないことは言うまでもない。
【０２６９】
３−６．通知態様について
また、電子機器１、センサーデバイス１Ｃ、情報端末２のうち少なくとも１つは、ユーザーに対する情報の通知を、画像表示により行ってもよいし、画像表示のほかに、音出力、振動、光、色（ＬＥＤの発光やディスプレイの表示色）などにより行ってもよいし、画
像表示、音出力、振動、光、色のうち少なくとも２つの組み合わせにより行ってもよい。
【０２７０】
例えば、常時計測したＳｐＯ２の値を表示したり、「危険」というステータス情報が得られた場合にアラートを画像表示、音出力、振動、光、色のうち少なくとも２つの組み合わせにより出力することで、高山病症状の予防に寄与することが可能になる。
【０２７１】
例えば、上述したシステムでは、ステータス情報をグラフ表示によりユーザーへ通知したが、ステータス情報（アドバイス含む）のすくなくとも一部を、音出力、振動、光、色、画像表示、又はこれらの組み合わせでユーザーへ通知してもよい。
【０２７２】
３−７．カスタマイズについて
また、上記の実施形態の電子機器１、センサーデバイス１Ｃ、情報端末２によるユーザーへの通知内容（通知期間、通知項目、通知態様、集計手法、通知順序などを含む）の少なくとも一部は、ユーザーが予め設定することが可能（カスタマイズ可能）であってもよい。
【０２７３】
３−８．機器の形態について
また、電子機器１は、リスト型電子機器、イヤホン型電子機器、指輪型電子機器、ペンダント型電子機器、スポーツ器具に装着して使用する電子機器、スマートフォン、ヘッドマウントディスプレイ（ＨＭＤ：Head Mount Display）、ヘッドアップディスプレイ（ＨＵＤ：Head Up Display）など、様々なタイプの携帯情報機器として構成することができる。但し、ＳｐＯ２センサー１１７による計測データが必須である場合には、電子機器１の変形は、ＳｐＯ２センサー１１７による計測に支障をきたさない範囲内で行われるものとする。
【０２７４】
３−９．オプション機能について
また、センサーデバイス１Ｃ、電子機器１、情報端末２の少なくとも１つには、他の機能が搭載されてもよい。他の機能とは、例えば公知のスマートフォン機能である。スマートフォン機能には、例えば、通話機能、メール着信通知機能、電話着信通知機能、通信機能、カメラ機能、などが含まれる。
【０２７５】
３−１０．測位システムについて
また、上記の実施形態では、衛星測位システムとしてＧＰＳ（Global Positioning System）を利用したが、他の全地球航法衛星システム（ＧＮＳＳ：Global Navigation Satellite System）を利用してもよい。例えば、ＥＧＮＯＳ(European Geostationary-Satellite Navigation Overlay Service)、ＱＺＳＳ（Quasi Zenith Satellite System）、ＧＬＯＮＡＳＳ（GLObal NAvigation Satellite System）、ＧＡＬＩＬＥＯ、ＢｅｉＤｏｕ（BeiDou Navigation Satellite System）、等の衛星測位システムのうち１又は２以上を利用してもよい。また、衛星測位システムの少なくとも１つにＷＡＡＳ（Wide Area Augmentation System）、ＥＧＮＯＳ(European Geostationary-Satellite Navigation Overlay Service)等の静止衛星型衛星航法補強システム（ＳＢＡＳ：Satellite-based Augmentation System）を利用してもよい。
【０２７６】
３−１１．ＨＭＤの例
以下、頭部装着型表示装置の一例を図２１に基づき説明する。
【０２７７】
頭部装着型表示装置１００は、ユーザーの頭部に装着された状態でユーザーに虚像を視認させる画像表示部２０（表示部）と、画像表示部２０を制御する制御装置１０と、を備える。制御装置１０は、ユーザーが頭部装着型表示装置１００を操作するコントローラーとしても機能する。画像表示部２０は、ユーザーの頭部に装着される装着体であり、本実
施形態では眼鏡形状のフレーム２’（本体）を有する。
【０２７８】
なお、制御装置１０としては、図１の情報端末２を用いることが可能である。その場合、情報端末２の操作部２３は、決定キー１１、表示切替キー１３、トラックパッド１４、輝度切替キー１５、方向キー１６、及びメニューキー１７などとして機能する。また、図１６には、画像表示部２０と制御装置１０とが接続部４０（本体コード４８’、右コード４２’、左コード４４’、ケーブル４８）を介して接続される例を示したが、画像表示部２０と制御装置１０とを無線通信で接続することも可能である。
【０２７９】
フレーム２’は、右保持部２１’及び左保持部２３’を有する。右保持部２１’は、右光学像表示部２６’の他端である端部ＥＲから、ユーザーが画像表示部２０を装着した際のユーザーの側頭部に対応する位置にかけて、延伸して設けられた部材である。同様に、左保持部２３’は、左光学像表示部２８’の他端である端部ＥＬから、ユーザーが画像表示部２０を装着した際のユーザーの側頭部に対応する位置にかけて、延伸して設けられた部材である。右保持部２１’はユーザーの頭部において右耳又はその近傍に当接し、左保持部２３’はユーザーの左耳又はその近傍に当接して、ユーザーの頭部に画像表示部２０を保持する。右保持部２１’及び左保持部２３’は、眼鏡のテンプル（つる）のようにして、ユーザーの頭部に画像表示部２０を保持する。
【０２８０】
本実施形態では本体の一例として、眼鏡型のフレーム２’を例示する。本体の形状は眼鏡型に限定されず、ユーザーの頭部に装着され固定されるものであればよく、ユーザーの左右の眼の前に跨がって装着される形状であれば、より好ましい。例えば、ここで説明する眼鏡型の他に、ユーザーの顔の上部を覆うスノーゴーグル様の形状であってもよいし、双眼鏡のようにユーザーの左右の眼のそれぞれの前方に配置される形状であってもよい。
【０２８１】
フレーム２’には、右表示駆動部２２’と、左表示駆動部２４’と、右光学像表示部２６’と、左光学像表示部２８’と、マイク６３とが設けられる。右表示駆動部２２’と左表示駆動部２４’とは、ユーザーが画像表示部２０を装着した際のユーザーの頭部に対向する側に配置されている。右光学像表示部２６’及び左光学像表示部２８’は、それぞれ、ユーザーが画像表示部２０を装着した際にユーザーの右及び左の眼前に位置する。右光学像表示部２６’の一端と左光学像表示部２８’の一端とは、ユーザーが画像表示部２０を装着した際のユーザーの眉間に対応する位置で、互いに連結されている。
【０２８２】
４．その他
本発明は上記の実施形態に限定されず、本発明の要旨の範囲内で種々の変形実施が可能である。
【０２８３】
また、上述した各実施形態及び各変形例は一例であって、これらに限定されるわけではない。例えば、各実施形態及び各変形例を適宜組み合わせることも可能である。
【０２８４】
また、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【０２８５】
１…電子機器、１Ｃ…センサーデバイス、２…情報端末、３…ネットワーク、４…サーバー、１１０…ＧＰＳセンサー、１１１…地磁気センサー、１２０…処理部、１３０…記憶
部、１１１ｃ…地磁気センサー、１１２…気圧センサー、１１３…加速度センサー、１１４…角速度センサー、１１５…脈センサー、１１６…温度センサー、１５０…操作部、１６０…計時部、１７０…表示部、１８０…音出力部、１９０…通信部、２２…通信部、２１…処理部、２３…操作部、２５…表示部、２６…音出力部、２７…通信部、右コード４２’…撮像部
【図１】
2018079077.tif 000003
【図２】
2018079077.tif 000004
【図３】
2018079077.tif 000005
【図４】
2018079077.tif 000006
【図５】
2018079077.tif 000007
【図６】
2018079077.tif 000008
【図７】
2018079077.tif 000009
【図８】
2018079077.tif 000010
【図９】
2018079077.tif 000011
【図１０】
2018079077.tif 000012
【図１１】
2018079077.tif 000013
【図１２】
2018079077.tif 000014
【図１３】
2018079077.tif 000015
【図１４】
2018079077.tif 000016
【図１５】
2018079077.tif 000017
【図１６】
2018079077.tif 000018
【図１７】
2018079077.tif 000019
【図１８】
2018079077.tif 000020
【図１９】
2018079077.tif 000021
【図２０】
2018079077.tif 000022
【図２１】
2018079077.tif 000023